(57)【要約】【課題】複数の発光体を用いた表示演出における色の再現性を高める。【解決手段】発光体ユニットを構成するように整列配置された複数の発光体は、それぞれが互いに異なる発光色を有する複数種類の発光素子を含んでいる。こうした発光素子の発光色ごとに異なる点灯データ生成テーブルが選択され、表示データに示される表示色のレベルに基づいて、選択された点灯データ生成テーブルを参照することにより、点灯データで指定される階調制御量を決定する。点灯データは、表示データに基づいて表示される画像の階調数よりも少ない階調数に対応している。【選択図】図２３
2014210033.tif 000002
【特許請求の範囲】
【請求項１】
所定の遊技を行う遊技機であって、
整列配置された複数の発光体の点灯態様により表示演出を実行する表示手段と、
複数種類の画像データを記憶する画像データ記憶手段と、
前記画像データ記憶手段から読み出した画像データに基づいて表示データを作成するデータ処理手段と、
前記データ処理手段によって作成された表示データに基づいて画像表示を行う画像表示手段と、
前記データ処理手段によって作成された表示データを発光体の点灯制御情報に変換する制御情報変換手段と、
前記制御情報変換手段によって変換された点灯制御情報に基づいて前記複数の発光体の点灯制御を行う点灯制御手段とを備え、
前記複数の発光体はそれぞれ、互いに異なる発光色を有する複数種類の発光素子を含み、
前記制御情報変換手段は、前記発光素子の発光色ごとに設けられた色変換設定情報を用いて表示データを点灯制御情報に変換する、
ことを特徴とする遊技機。
【発明の詳細な説明】
【技術分野】
【０００１】
本発明は、例えばパチンコ遊技機といった、所定の遊技を行う遊技機に関する。
【背景技術】
【０００２】
遊技機の一例として、遊技球などの遊技媒体を発射装置によって遊技領域に発射し、遊技領域に設けられている入賞口などの入賞領域に遊技媒体が入賞したことに基づいて、所定の遊技価値を付与可能としたパチンコ遊技機がある。また、遊技機の他の一例として、メダルやコイン、あるいは、パチンコ遊技機と同様の遊技球といった遊技媒体を用いて１ゲームに対する所定数の賭数を設定した後、遊技者がスタートレバーを操作することにより可変表示装置による表示図柄の可変表示を開始し、導出された表示結果に基づいて所定の遊技価値を付与可能としたスロットマシンがある。
【０００３】
こうした遊技機における可変表示を補助する表示要素として、複数の発光源（発光体）をドットマトリクス状に配列した表示機を発光させることで所定の表示を行うことが提案されている（例えば特許文献１）。
【先行技術文献】
【特許文献】
【０００４】
【特許文献１】特開２００４−９７５８７号公報
【発明の概要】
【発明が解決しようとする課題】
【０００５】
特許文献１に記載の技術では、画像表示と同様に発光体を点灯制御してしまうと、発光体の発光特性などにより、表示演出における色の再現性が損なわれるおそれがあった。
【０００６】
この発明は、上記実状に鑑みてなされたものであり、発光体を用いた演出における色の再現性を高める遊技機の提供を目的とする。
【課題を解決するための手段】
【０００７】
（１）上記目的を達成するため、本願発明に係る遊技機は、所定の遊技を行う遊技機（例えばパチンコ遊技機１など）であって、整列配置された複数の発光体の点灯態様により表示演出を実行する表示手段（例えば発光体ユニット７１〜７４など）と、複数種類の画像データを記憶する画像データ記憶手段（例えば画像データメモリ１３１など）と、前記画像データ記憶手段から読み出した画像データに基づいて表示データを作成するデータ処理手段（例えばＶＤＰ１３０など）と、前記データ処理手段によって作成された表示データに基づいて画像表示を行う画像表示手段（例えばメイン画像表示装置５ＭＡやサブ画像表示装置５ＳＵなど）と、前記データ処理手段によって作成された表示データを発光体の点灯制御情報に変換する制御情報変換手段（例えば点灯データ生成回路１４２など）と、前記制御情報変換手段によって変換された点灯制御情報に基づいて前記複数の発光体の点灯制御を行う点灯制御手段（例えば発光体駆動部１４４など）とを備え、前記複数の発光体はそれぞれ、互いに異なる発光色（例えばＲ（赤）、Ｇ（緑）、Ｂ（青）など）を有する複数種類の発光素子を含み、前記制御情報変換手段は、前記発光素子の発光色ごとに設けられた色変換設定情報（例えば点灯データ生成テーブルＴＲ０１、ＴＧ０１、ＴＢ０１、・・・など）を用いて表示データを点灯制御情報に変換する（例えば図２３（ａ）などを参照）。
このような構成によれば、発光素子の発光色ごとに設けられた色変換設定情報を用いて表示データを点灯制御情報に変換することで、発光体を用いた演出における色の再現性を高めることができる。
【０００８】
（２）上記（１）の遊技機において、前記制御情報変換手段は、前記データ処理手段によって作成された表示データに基づいて表示される画像の階調数（例えば「２５６」）よりも少ない階調数（例えば「６４」）を示す点灯制御情報に変換する（例えば図２３（ｂ）などを参照）ように構成されてもよい。
このような構成においては、表示データに基づいて表示される画像の階調数よりも少ない階調数を示す点灯制御情報に変換することで、表示データの作成負担を軽減させることができる。
【０００９】
（３）上記（１）または（２）の遊技機において、前記制御情報変換手段は、前記複数の発光体それぞれの配置に応じて異なる色変換設定情報を用いて表示データを点灯制御情報に変換する（例えば図２３（ａ）の発光体ブロックに応じたテーブル選択設定を参照）ように構成されてもよい。
このような構成においては、発光体の配置に応じて適切な点灯制御情報に変換することで、発光体を用いた演出における色の再現性を高めることができる。
【００１０】
（４）上記（１）から（３）のいずれかの遊技機において、表示データを一時記憶可能な複数の一時記憶手段（例えばダブルバッファとして構成されたバッファメモリ１４１など）を備え、前記制御情報変換手段は、前記複数の一時記憶手段のうち１の一時記憶手段に前記データ処理手段によって作成された表示データを記憶させているときに、前記複数の一時記憶手段のうち他の一時記憶手段から読み出した表示データを点灯制御情報に変換するように構成されてもよい。
このような構成においては、１の一時記憶手段に表示データを記憶させているときに、他の一時記憶手段から読み出した表示データを点灯制御情報に変換することで、表示データから点灯制御情報への変換を適切に行うことができる。
【００１１】
（５）上記（１）から（４）のいずれかの遊技機において、前記制御情報変換手段は、表示データの出力周期（例えば１／６０秒など）よりも短い周期（例えば１／１２０秒など）で発光体の点灯制御情報を出力する出力手段（例えばシリアル出力回路１４３など）を備えるように構成されてもよい。
このような構成においては、発光体の点灯制御情報を短い周期で出力することで、発光体による表示演出のちらつきを抑制することができる。
【００１２】
（６）上記（１）から（５）のいずれかの遊技機において、前記制御情報変換手段は、前記複数の発光体が配置された領域を複数のブロック（例えば発光体ブロックＢ０１〜Ｂ４２など）に分割し、該ブロックごとに発光体の点灯制御情報を作成する制御情報作成手段（例えば図１０、図１１、図２２、図２３などを参照）を含み、前記遊技機は、さらに、表示データを区分けした複数のデータ範囲に応じて、前記複数のブロックのうち、いずれのブロックに含まれる発光体の点灯制御情報に変換するかを特定可能な変換設定情報（例えばアドレス特定テーブルＴＡ１など）を記憶する設定情報記憶手段（例えば点灯データ生成回路１４２が備えるテーブルデータ記憶部など）を備え、前記制御情報変換手段は、前記変換設定情報を用いて表示データを点灯制御情報に変換する（例えば図２１、図２２などを参照）ように構成されてもよい。
このような構成においては、表示データを区分けした複数のデータ範囲に応じて、いずれのブロックに含まれる発光体の点灯制御情報に変換するかを、変換設定情報を用いて特定することで、点灯制御の処理負担を軽減させることができる。
【図面の簡単な説明】
【００１３】
【図１】この実施の形態におけるパチンコ遊技機の正面図である。
【図２】複数の可動部材が進出状態となった場合を示す図である。
【図３】演出可動機構の構成例を示す図である。
【図４】上側機構の動作例を示す図である。
【図５】下側機構の動作例を示す図である。
【図６】演出可動機構の動作例を示す図である。
【図７】パチンコ遊技機に搭載された各種の制御基板などを示す構成図である。
【図８】表示制御部の構成例を示す図である。
【図９】発光体制御回路の構成例を示す図である。
【図１０】複数のブロックに分割する設定例を示す図である。
【図１１】シリアル出力系統と発光体ブロックとの接続設定例を示す図である。
【図１２】発光体ドライバの構成例を示す図である。
【図１３】遊技制御プロセス処理の一例を示すフローチャートである。
【図１４】変動パターンの設定例を示す図である。
【図１５】演出制御プロセス処理の一例を示すフローチャートである。
【図１６】可変表示開始設定処理の一例を示すフローチャートである。
【図１７】演出制御パターンの構成例などを示す図である。
【図１８】可変表示中演出処理の一例を示すフローチャートである。
【図１９】ＶＤＰが実行する画像データ処理の一例を示すフローチャートである。
【図２０】表示データの作成例と出力例を示す図である。
【図２１】バッファメモリエリアの設定例を示す図である。
【図２２】アドレス特定テーブルの構成例を示す図である。
【図２３】点灯データ生成テーブルの選択設定例などを示す図である。
【図２４】シリアル信号の出力動作例を示す図である。
【図２５】演出可動機構による表示演出の実行例を示す図である。
【発明を実施するための形態】
【００１４】
以下、図面を参照しつつ、本発明の一実施形態を詳細に説明する。図１は、本実施の形態におけるパチンコ遊技機の正面図であり、主要部材の配置レイアウトを示す。なお、図１では、後述する演出可動機構５０を破線で示している。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、外縁をほぼ円形状とする遊技領域が形成されている。この遊技領域には、遊技媒体としての遊技球が、所定の打球発射装置から発射されて打ち込まれる。
【００１５】
遊技盤２の所定位置（図１に示す例では、遊技領域の右下側）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１６】
遊技盤２における遊技領域の中央付近には、メイン画像表示装置５ＭＡが設けられている。メイン画像表示装置５ＭＡは、例えばＬＣＤ（液晶表示装置）等から構成され、各種の演出画像を表示する表示領域を形成している。メイン画像表示装置５ＭＡの画面上では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００１７】
一例として、メイン画像表示装置５ＭＡの表示領域に配置された「左」、「中」、「右」の飾り図柄表示エリア５Ｌ、５Ｃ、５Ｒでは、それぞれに対応した飾り図柄が可変表示される。この場合、特図ゲームにおいて第１特別図柄表示装置４Ａによる第１特図の変動と第２特別図柄表示装置４Ｂによる第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、「左」、「中」、「右」の各飾り図柄表示エリア５Ｌ、５Ｃ、５Ｒにて、飾り図柄の可変表示結果となる確定飾り図柄（最終停止図柄）が停止表示される。
【００１８】
このように、メイン画像表示装置５ＭＡの画面上では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００１９】
「左」、「中」、「右」の各飾り図柄表示エリア５Ｌ、５Ｃ、５Ｒにて可変表示される飾り図柄は、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）を含んで構成されていればよい。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２０】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２１】
メイン画像表示装置５ＭＡの画面上には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２２】
例えば、第１始動入賞口を遊技球が通過（進入）する第１始動入賞の発生により、第１特別図柄表示装置４Ａによる第１特図を用いた特図ゲームの始動条件（第１始動条件）が成立したときに、当該第１始動条件の成立に基づく第１特図を用いた特図ゲームを開始するための第１開始条件が成立しなければ、第１特図保留記憶数が１加算（インクリメント）され、第１特図を用いた特図ゲームの実行が保留される。また、第２始動入賞口を遊技球が通過（進入）する第２始動入賞の発生により、第２特別図柄表示装置４Ｂによる第２特図を用いた特図ゲームの始動条件（第２始動条件）が成立したときに、当該第２始動条件の成立に基づく第２特図を用いた特図ゲームを開始するための第２開始条件が成立しなければ、第２特図保留記憶数が１加算（インクリメント）され、第２特図を用いた特図ゲームの実行が保留される。これに対して、第１特図を用いた特図ゲームの実行が開始されるときには、第１特図保留記憶数が１減算（デクリメント）され、第２特図を用いた特図ゲームの実行が開始されるときには、第２特図保留記憶数が１減算（デクリメント）される。
【００２３】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２４】
始動入賞記憶表示エリア５Ｈとともに、あるいは始動入賞記憶表示５Ｈエリアに代えて、特図保留記憶数を表示する表示器を設けるようにしてもよい。図１に示す例では、始動入賞記憶表示エリア５Ｈとともに、第１特別図柄表示装置４Ａおよび第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。
【００２５】
メイン画像表示装置５ＭＡの右側には、メイン画像表示装置５ＭＡとは別個に複数種類の演出画像を含む各種画像の表示を行うサブ画像表示装置５ＳＵが設けられている。なお、メイン画像表示装置５ＭＡとサブ画像表示装置５ＳＵの設置箇所は、遊技盤２における遊技領域の中央付近に限定されず、例えばメイン画像表示装置５ＭＡは遊技領域の中央付近に設置される一方、サブ画像表示装置５ＳＵは遊技領域の外部や遊技機用枠３の前面上部、前面下部、前面側方といった、パチンコ遊技機１における任意の位置に設置されてもよい。
【００２６】
メイン画像表示装置５ＭＡの下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図７に示す普通電動役物用となるソレノイド２７によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００２７】
一例として、普通可変入賞球装置６Ｂでは、普通電動役物用のソレノイド２７がオフ状態であるときに可動翼片が垂直位置となることにより、第２始動入賞口を遊技球が通過（進入）しない閉鎖状態にする。その一方で、普通可変入賞球装置６Ｂでは、普通電動役物用のソレノイド２７がオン状態であるときに可動翼片が傾動位置となることにより、第２始動入賞口を遊技球が通過（進入）できる開放状態にする。なお、普通可変入賞球装置６Ｂは、ソレノイド２７がオフ状態であるときに通常開放状態となり、第２始動入賞口を遊技球が進入（通過）できる一方、ソレノイド２７がオン状態であるときの拡大開放状態よりも遊技球が進入（通過）しにくいように構成してもよい。このように、普通可変入賞球装置６Ｂは、第２始動入賞口を遊技球が通過（進入）しやすい開放状態または拡大開放状態といった第１可変状態と、遊技球が通過（進入）不可能な閉鎖状態または通過（進入）困難な通常開放状態といった第２可変状態とに、変化できるように構成されている。
【００２８】
普通入賞球装置６Ａに形成された第１始動入賞口を通過（進入）した遊技球は、例えば図７に示す第１始動口スイッチ２２Ａによって検出される。普通可変入賞球装置６Ｂに形成された第２始動入賞口を通過（進入）した遊技球は、例えば図７に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。
【００２９】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００３０】
普通入賞球装置６Ａと普通可変入賞球装置６Ｂの下方には、特別可変入賞球装置７が設けられている。特別可変入賞球装置７は、図７に示す大入賞口扉用となるソレノイド２８によって開閉駆動される大入賞口扉を備え、その大入賞口扉によって開放状態と閉鎖状態とに変化する特定領域としての大入賞口を形成する。
【００３１】
一例として、特別可変入賞球装置７では、大入賞口扉用のソレノイド２８がオフ状態であるときに大入賞口扉が大入賞口を閉鎖状態として、遊技球が大入賞口を通過（進入）できなくなる。その一方で、特別可変入賞球装置７では、大入賞口扉用のソレノイド２８がオン状態であるときに大入賞口扉が大入賞口を開放状態として、遊技球が大入賞口を通過（進入）しやすくなる。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００３２】
大入賞口を通過（進入）した遊技球は、例えば図７に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３３】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普通図柄表示器２０の上方には、普図保留表示器２５Ｃが設けられている。普図保留表示器２５Ｃは、例えば４個のＬＥＤを含んで構成され、通過ゲート２６を通過した有効通過球数としての普図保留記憶数を表示する。
【００３４】
遊技盤２の表面には、上記の構成以外にも、遊技球の流下方向や速度を変化させる風車や多数の障害釘などが設けられている。第１始動入賞口、第２始動入賞口および大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３５】
遊技盤２には、整列配置された複数の発光体の点灯態様による表示演出を実行可能な可動部材として、演出可動機構５０が設けられている。演出可動機構５０は、複数（例えば４つ）の可動部材を有している。演出可動機構５０は、複数の可動部材がメイン画像表示装置５ＭＡの画面上下に分かれて位置する退避状態と、複数の可動部材がメイン画像表示装置５ＭＡの画面前方に位置する進出状態とに変化することができる。なお、以下の説明においては、パチンコ遊技機１の正面に対峙した状態を基準として上下左右前後方向を説明する。
【００３６】
図１に示された演出可動機構５０は、退避状態となった場合のものである。この実施の形態では、例えば樹脂などで構成される図示しない透明板によって遊技盤２の遊技領域が構成されており、演出可動機構５０は、この透明板の後方に配置されて、遊技球は演出可動機構５０の前方を流下する。ただし、こうした例に限定されず、演出可動機構５０の複数の可動部材の少なくとも１つが、遊技領域を形成する透明板の前方に配置されてもよい。
【００３７】
図２は、演出可動機構５０に設けられた複数の可動部材がメイン画像表示装置５ＭＡの前面に位置する進出状態となった場合を示している。図３は、演出可動機構５０の構成例を示している。演出可動機構５０は、退避状態においてメイン画像表示装置５ＭＡの画面上側に位置する２つの可動部材５１、５２を備えた上側機構５０Ｔと、退避状態においてメイン画像表示装置５ＭＡの画面下側に位置する２つの可動部材５３、５４を備えた下側機構５０Ｂとに分離可能である。すなわち、演出可動機構５０は、互いに離間または近接して配置可能な上側機構５０Ｔと下側機構５０Ｂとを含んで構成される。上側機構５０Ｔと下側機構５０Ｂとが互いに離間することで、第１状態としての退避状態となる。一方、上側機構５０Ｔと下側機構５０Ｂとが互いに近接することで、第２状態としての進出状態となる。
【００３８】
上側機構５０Ｔや下側機構５０Ｂには、退避状態と進出状態とに変化させる駆動手段が設けられている。上側機構５０Ｔは、２つの可動部材５１、５２の他に、上側支持ユニット５５と、装飾部材５７とを備えている。下側機構５０Ｂは、２つの可動部材５３、５４の他に、下側支持ユニット５６を備えている。
【００３９】
上側支持ユニット５５は、メイン画像表示装置５ＭＡの画面上側を覆うようにコの字型に構成されたフレームを備え、このフレームが遊技盤２本体に固定されることで、上側機構５０Ｔの各構成部材を支持する。上側支持ユニット５５は、可動部材５１に係合した動力伝達部を備え、可動用モータ（図７に示す可動用モータ６０に含まれる）からの動力を可動部材５１に伝達させる。上側支持ユニット５５のフレームには、可動部材５１を回動可能に軸支する回動支軸、可動部材５１の回動動作をガイドするガイド孔が形成されるとともに、装飾部材５７の移動を補助する上下方向に沿ったガイドスリットが形成されている。装飾部材５７は、２つの可動部材５１、５２の左端を軸支し、可動部材５１、５２は、装飾部材５７に対して回動する。装飾部材５７は、可動部材５１に可動用モータからの動力が出力されることにより、可動部材５１の動作に伴って上下に移動する。上側支持ユニット５５は、可動部材５１の位置を直接的または間接的に把握する位置検出センサを備えていればよい。
【００４０】
下側支持ユニット５６は、メイン画像表示装置５ＭＡの画面下側を覆う形状に構成されたフレームを備え、このフレームが遊技盤２本体に固定されることで、下側機構５０Ｂの各構成部材を支持する。下側支持ユニット５６は、可動部材５３に連結されるとともに可動部材５４に係合したリンク機構を備え、可動用モータからの動力がリンク機構に係合した動力伝達部などを介して可動部材５３、５４に伝達されることで、可動部材５３、５４を可動させる。下側支持ユニット５６のフレームには、リンク機構を支持するための突起やガイド孔などが形成されている。
【００４１】
上側機構５０Ｔにおいて、可動部材５１、５２のそれぞれは、マトリクス状に整列配置された複数の発光体を備える。すなわち、可動部材５１と可動部材５２のそれぞれには、例えば縦横方向（上下左右方向）といった所定方向に沿って、複数の発光体が整列配置されている。可動部材５１にて整列配置された複数の発光体は、図７に示す発光体ユニット７１を構成する。可動部材５２にて整列配置された複数の発光体は、図７に示す発光体ユニット７２を構成する。
【００４２】
発光体ユニット７１、７２を構成するように整列配置された複数の発光体は、それぞれが、互いに異なる発光色を有する複数種類の発光素子を含んでいる。例えば、各発光体として、Ｒ（赤）、Ｇ（緑）、Ｂ（青）に発光可能な発光素子を有するフルカラーＬＥＤが用いられる。これにより、可動部材５１と可動部材５２は、各種の色を全域で単色にて点灯表示することの他、複数の色を域内で区別表示することによる虹色表示といった、発光体ユニット７１と発光体ユニット７２にて整列配置された複数の発光体の点灯態様による表示演出が実行可能である。このように、発光体ユニット７３および発光体ユニット７４は、複数の発光体を用いた表示（発光）の色彩や模様を時間経過に伴い変化させて、表示演出を実行することができる。可動部材５１、５２が備える発光体ユニット７１、７２にて整列配置された複数の発光体の前方には、複数の発光体のそれぞれを区画するように格子状に形成された区画体が設けられている。また、可動部材５１、５２の区画体の前面には、可動部材５１、５２を装飾する前面板が設けられている。
【００４３】
下側機構５０Ｂにおいて、可動部材５３、５４のそれぞれは、上側機構５０Ｔの可動部材５１、５２のそれぞれと同様に、マトリクス状に整列配置された複数の発光体を備える。すなわち、可動部材５３と可動部材５４のそれぞれには、例えば縦横方向（上下左右方向）といった所定方向に沿って、複数の発光体が整列配置されている。可動部材５３にて整列配置された複数の発光体は、図７に示す発光体ユニット７３を構成する。可動部材５４にて整列配置された複数の発光体は、図７に示す発光体ユニット７４を構成する。
【００４４】
発光体ユニット７３、７４を構成するように整列配置された複数の発光体は、それぞれが、互いに異なる発光色を有する複数種類の発光素子を含んでいる。例えば、各発光体として、Ｒ（赤）、Ｇ（緑）、Ｂ（青）に発光可能な発光素子を有するフルカラーＬＥＤが用いられる。これにより、可動部材５３と可動部材５４は、各種の色を全域で単色にて点灯表示することの他、複数の色を域内で区別表示することによる虹色表示といった、発光体ユニット７３と発光体ユニット７４にて整列配置された複数の発光体の点灯態様による表示演出が実行可能である。このように、発光体ユニット７３および発光体ユニット７４は、複数の発光体を用いた表示（発光）の色彩や模様を時間経過に伴い変化させて、表示演出を実行することができる。可動部材５３、５４が備える発光体ユニット７３、７４にて整列配置された複数の発光体の前方には、複数の発光体のそれぞれを区画するように格子状に形成された区画体が設けられている。また、可動部材５３、５４の区画体の前面には、可動部材５３、５４を装飾する前面板が設けられている。
【００４５】
可動部材５１〜５４に設けられた区画体は、例えば樹脂といった、透光性が低い材料、または透光性を有しない材料で形成されている。こうした区画体が可動部材５１〜５４のそれぞれに設けられた発光体ユニット７１〜７４に対応して設けられる。これにより、可動部材５１〜５４のそれぞれにおいて、発光体ユニット７１〜７４を構成するように整列配置された複数の発光体のそれぞれを、容易に区画することができる。また、区画体の材料や各発光体を区画する部分の厚さなどを変更することによって、発光体からの光量を低減（調整）したり、発光体からの光を乱反射させることができる。区画体は、例えば樹脂などの板材に対して格子状に複数の孔を形成することで形成したり、型枠に対して樹脂材などを射出成形することで作成すればよい。なお、複数の発光体としては、フルカラーＬＥＤを用いるものに限定されず、例えば単色または複数色のＬＥＤを用いてもよいし、ＬＥＤ以外の発光体を用いてもよい。区画体としては、立体的に格子状に形成された部材に限定されず、例えば格子状の模様が印刷や切込みなどで透明または半透明な板材に形成されることで構成されてもよい。区画体は、複数の発光体を１つずつ区画するように構成されるものに限定されず、複数の発光体を所定数ずつ区画するように構成されてもよいし、所定方向（例えば横方向および縦方向）に沿って区画するように構成されてもよい。さらに、こうした区画体を備えなくてもよい。
【００４６】
可動部材５１〜５４に設けられた前面板は、例えばアルミニウムなどによって表面に金属薄膜層が形成され、外側からの光を反射させるとともに内側からの光を透過させる半透明状に構成されている。これにより、複数の発光体が発光しないときに、可動部材５１〜５４の見栄え（外観）を向上させることができる。装飾部材５７についても、このような金属薄膜層が形成されるとともに内側に発光体が設けられてもよい。可動部材５１〜５４は、表面に金属薄膜層が形成されて構成されるものに限定されず、透明または半透明の塗料による装飾が施されて構成されるなどしてもよい。
【００４７】
図４は、パチンコ遊技機１の前方からみた上側機構５０Ｔの動作例を示している。上側機構５０Ｔが備える可動部材５１、５２は、装飾部材５７に軸支されて回動可能であり、可動部材５１と可動部材５２とで回動範囲が異なっている。すなわち、可動部材５２は、可動部材５１に対して退避した位置と進出した位置とに回動できる。可動部材５１は、複数の発光体が設けられた前面部の後方にベース体が配置されて構成されており、前面部とベース体との間に可動部材５２を保持する。上側機構５０Ｔが退避状態であるときには、例えば図４（ａ）に示すように、可動部材５１の長手方向が略水平方向に沿った状態で上側に位置する。そして、上側機構５０Ｔが退避状態から進出状態へと変化するときには、例えば図４（ｄ）に示すように、可動用モータからの動力により装飾部材５７の下方への移動を伴って可動部材５１、５２が回動する。一方、上側機構５０Ｔが進出状態から退避状態へと変化するときには、可動用モータからの動力により装飾部材５７の上方への移動を伴って可動部材５１、５２が回動する。
【００４８】
図４（ａ）および図４（ｃ）に示すように、可動部材５１と可動部材５２の回動量が同程度であるときには、可動部材５１と可動部材５２のそれぞれに配置された複数の発光体の配列方向が一致せず、その配列が揃わない。すなわち、上側機構５０Ｔが退避状態であるときには、可動部材５１や可動部材５２において縦横に整列配置された複数の発光体は、可動部材５１と可動部材５２とで配列方向が一致しない。これに対して、図４（ｃ）および図４（ｄ）に示すように、可動部材５１と可動部材５２とで回動量の差分が最大であるときには、可動部材５１と可動部材５２のそれぞれに配置された複数の発光体の配列方向が一致して、その配列が揃った状態となる。すなわち、上側機構５０Ｔが進出状態であるときには、可動部材５１や可動部材５２において複数列に配置された複数の発光体は、可動部材５１と可動部材５２とで配列方向が一致する。
【００４９】
図４（ａ）に示すように、可動部材５１および可動部材５２がいずれも上方に位置する状態では、上側機構５０Ｔが退避状態であることに対応して、メイン画像表示装置５ＭＡの表示画面（破線参照）に対する視認を妨げず、遊技者はメイン画像表示装置５ＭＡの表示画面と可動部材５１とを視認することができる。このように、上側機構５０Ｔが退避状態であるときには、可動部材５１と可動部材５２とがメイン画像表示装置５ＭＡの表示画面に重ならない。図４（ｄ）に示すように、可動部材５１および可動部材５２が回動して最も離れた状態では、上側機構５０Ｔが進出状態であることに対応して、メイン画像表示装置５ＭＡの表示画面に対する視認が妨げられる。このように、上側機構５０Ｔが進出状態であるときには、可動部材５１と可動部材５２とがメイン画像表示装置５ＭＡの表示画面に重なる。これにより、遊技者に可動部材５１、５２を注目させることができ、可動部材５１、５２のそれぞれに整列配置された複数の発光体を用いて表示演出を実行することによって演出の興趣を向上させることができる。また、上側機構５０Ｔが進出状態であるときには、可動部材５１、５２のそれぞれに整列配置された複数の発光体の配列方向が一致する。これにより、可動部材５１、５２における表示演出に一体感をもたせて、演出効果を向上させることができる。
【００５０】
図５は、パチンコ遊技機１の前方からみた下側機構５０Ｂの動作例を示している。下側機構５０Ｂが備える可動部材５３、５４は、所定のリンク機構を介して下側支持ユニット５６のフレームに連結され、可動用モータ６０Ｃ（図７に示す可動用モータ６０に含まれる）の動力により所定範囲で移動することができる。リンク機構には、例えば図５（ｂ）に示すリンク部材６４２ａ、６４２ｂやリンク部材６４５ａ、６４５ｂなどが含まれている。リンク部材６４５ａ、６４５ｂは、一端がフレームに軸支されるとともに、他端が可動部材５４の下端付近に軸支され、可動部材５４の移動をガイドする。
【００５１】
下側機構５０Ｂが退避状態であるときには、例えば図５（ａ）に示すように、可動部材５３、５４のそれぞれが下方に位置するとともに、可動部材５３が可動部材５４の後方に位置して、遊技者は可動部材５３をほとんど視認することができない。そして、下側機構５０Ｂが退避状態から進出状態へと変化するときには、例えば図５（ｂ）に示すように、可動部材５３が可動部材５４の裏側から若干の回動を伴って上方に移動する。さらに可動用モータ６０Ｃからの動力が出力されると、例えば図５（ｃ）に示すように、可動部材５４が可動部材５３の移動に伴って上方に移動する。一方、下側機構５０Ｂが進出状態から退避状態へと変化するときには、可動用モータ６０Ｃからの動力により可動部材５３、５４のそれぞれが下方に移動してから、可動部材５３が可動部材５４の裏側に移動する。
【００５２】
図５（ａ）に示すように、下側機構５０Ｂが退避状態であるときには、可動部材５３や可動部材５４において縦横に整列配置された複数の発光体は、可動部材５３と可動部材５４とで配列方向が一致しない。これに対して、図５（ｃ）に示すように、下側機構５０Ｂが進出状態であるときには、可動部材５３と可動部材５４のそれぞれに配置された複数の発光体の配列方向が一致して、その配列が揃った状態となる。すなわち、下側機構５０Ｂが進出状態であるときには、可動部材５３や可動部材５４において複数列に配置された複数の発光体は、可動部材５３と可動部材５４とで配列方向が一致する。
【００５３】
図６は、演出可動機構５０の動作例を示している。図６では、可動部材５１〜５４の表面に整列配置された複数の発光体の配列方向を実線で示している。上側機構５０Ｔと下側機構５０Ｂとが互いに離間した退避状態では、可動部材５１〜５４がメイン画像表示装置５ＭＡの表示画面（表示領域）に重ならない。したがって、上側機構５０Ｔと下側機構５０Ｂとが退避状態であるときには、図６（ａ）に示すように、メイン画像表示装置５ＭＡの表示画面が視認可能となる。一方、上側機構５０Ｔと下側機構５０Ｂとが互いに近接した進出状態では、可動部材５１〜５４がメイン画像表示装置５ＭＡの表示画面（表示領域）に重なる。したがって、上側機構５０Ｔと下側機構５０Ｂとが進出状態であるときには、図６（ｂ）に示すように、メイン画像表示装置５ＭＡの表示画面が視認困難または視認不可能となる。
【００５４】
また、上側機構５０Ｔと下側機構５０Ｂとが退避状態であるときには、図６（ａ）に示すように、可動部材５１〜５４のそれぞれに整列配置された複数の発光体の配列方向が一致しない。一方、上側機構５０Ｔと下側機構５０Ｂとが進出状態であるときには、図６（ｂ）に示すように、可動部材５１〜５４のそれぞれに整列配置された複数の発光体の配列方向が一致する。このように、進出状態であるときに可動部材５１〜５４のそれぞれに整列配置された複数の発光体の配列方向が揃うことで、可動部材５１〜５４のそれぞれにおける表示演出に一体感をもたせることができる。特に、進出状態であるときに複数の可動部材５１〜５４で一体の表示演出を実行することにより、演出の興趣を向上させることができる。加えて、複数の可動部材５１〜５４の位置によってメイン画像表示装置５ＭＡの表示画面に対する視認性が変化するので、演出が単調となることを防止して、演出の興趣を向上させることができる。
【００５５】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７、メイン画像表示装置５ＭＡの周縁部に配置されたフレーム部材など）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００５６】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００５７】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００５８】
スティックコントローラ３１Ａの下部における下皿の本体内部などには、操作桿に対する傾倒操作を検知する傾倒方向センサユニットを含むコントローラセンサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００５９】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。なお、スティックコントローラ３１Ａやプッシュボタン３１Ｂは、遊技者による操作が検出された場合、図７に示す演出制御基板１２によってメイン画像表示装置５ＭＡやサブ画像表示装置５ＳＵにおける表示演出が変更されたり、演出可動機構５０における動作やスピーカ８Ｌ、８Ｒからの音声出力や遊技効果ランプ９などの発光体における点灯動作（点滅動作）などが行われる演出（例えば予告演出やリーチ演出）などにおいて使用されればよい。
【００６０】
パチンコ遊技機１には、例えば図７に示すような主基板１１、演出制御基板１２、音声制御基板１３、ランプ制御基板１４、可動機構制御基板１６といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００６１】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。
【００６２】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド２７、２８に伝送するソレノイド回路１１１などが搭載されている。
【００６３】
演出制御基板１２は、主基板１１とは独立したサブ側の制御基板であり、中継基板１５を介して主基板１１から伝送された制御信号を受信して、メイン画像表示装置５ＭＡおよびサブ画像表示装置５ＳＵ、スピーカ８Ｌ、８Ｒ、遊技効果ランプ９、発光体ユニット７１〜７４、演出可動機構５０といった演出用の電気部品による演出動作を制御するための各種回路が搭載されている。すなわち、演出制御基板１２は、メイン画像表示装置５ＭＡおよびサブ画像表示装置５ＳＵにおける表示動作や、発光体ユニット７１〜７４における点灯態様の全部または一部、スピーカ８Ｌ、８Ｒからの音声出力動作の全部または一部、遊技効果ランプ９などにおける点灯／消灯動作の全部または一部、演出可動機構５０の動作の全部または一部といった、演出用の電気部品に所定の演出動作を実行させるための制御内容を決定する機能を備えている。
【００６４】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプドライバ回路などが搭載されている。可動機構制御基板１６は、演出制御基板１２とは別個に設けられた演出可動機構制御用の制御基板であり、演出制御基板１２からの指令や制御データなどに基づき、可動部材５１〜５４の移動動作制御を行うためのモータドライバ回路などが搭載されている。
【００６５】
図７に示すように、主基板１１には、ゲートスイッチ２１、第１始動口スイッチ２２Ａ、第２始動口スイッチ２２Ｂ、カウントスイッチ２３からの検出信号を伝送する配線が接続されている。なお、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００６６】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えばメイン画像表示装置５ＭＡやサブ画像表示装置５ＳＵにおける画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンド、演出可動機構５０の動作などを制御するために用いられる可動機構制御コマンドなどが含まれている。
【００６７】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００６８】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。乱数回路１０４は、遊技の進行を制御するために用いられる各種の乱数値の一部または全部を示す数値データをカウントするものであればよい。
【００６９】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータなどが、記憶されている。
【００７０】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００７１】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。演出制御用ＣＰＵ１２０、ＲＯＭ１２１、ＲＡＭ１２２は、演出制御基板１２に搭載された１チップの演出制御用マイクロコンピュータに含まれてもよい。
【００７２】
演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線、可動機構制御基板１６に対して可動用モータ６０の駆動により可動部材５１〜５４を移動させるための指令や制御データを示す情報信号としての駆動制御信号を伝送するための配線などが接続されている。さらに、演出制御基板１２には、スティックコントローラ３１Ａに対する遊技者の操作行為を検出したことを示す情報信号としての操作検出信号を受信するための配線や、プッシュボタン３１Ｂに対する遊技者の操作行為を検出したことを示す情報信号としての操作検出信号を受信するための配線も接続されている。
【００７３】
図７に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御パターンは、例えば演出制御プロセスタイマ判定値と対応付けられた演出制御実行データ（表示制御データ、音声制御データ、ランプ制御データ、可動部材制御データ、操作検出制御データなど）や終了コードなどを含んだプロセスデータから構成されている。演出制御基板１２に搭載されたＲＡＭ１２２には、演出動作を制御するために用いられる各種データが記憶される。
【００７４】
演出制御基板１２に搭載された表示制御部１２３は、演出制御用ＣＰＵ１２０からの表示制御指令などに基づき、メイン画像表示装置５ＭＡやサブ画像表示装置５ＳＵにおける表示動作の制御内容を決定する。例えば、表示制御部１２３は、メイン画像表示装置５ＭＡやサブ画像表示装置５ＳＵの画面上に表示させる演出画像の切換タイミングを決定することなどにより、飾り図柄の可変表示や各種の演出表示を実行させるための制御を行う。この実施の形態において、表示制御部１２３は、可動部材５１〜５４のそれぞれに整列配置された複数の発光体が構成する発光体ユニット７１〜７４の点灯態様による表示演出を実行させるための制御を行う。
【００７５】
一例として、図８は表示制御部１２３の構成例を示している。図８に示す表示制御部１２３は、ＶＤＰ（Video Display Processor）１３０と、画像データメモリ１３１と、ＶＲＡＭ（Video RAM）１３２Ａと、フレームバッファ１３２Ｂと、メインＬＣＤ駆動回路１３３Ａと、サブＬＣＤ駆動回路１３３Ｂと、発光体制御回路１３４とを備えている。なお、ＶＤＰ１３０は、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。画像データメモリ１３１は、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【００７６】
ＶＤＰ１３０は、例えばメイン画像表示装置５ＭＡやサブ画像表示装置５ＳＵの画面上に各種画像を表示させるための高速描画機能や動画像デコード機能といった画像データ処理機能を有し、演出制御用ＣＰＵ１２０からの表示制御指令に従った画像データ処理を実行する画像プロセッサである。画像データメモリ１３１は、メイン画像表示装置５ＭＡやサブ画像表示装置５ＳＵにおける表示画像を示す各種の画像データ（画像要素データ）を予め記憶している。例えば、画像データメモリ１３１が記憶する画像データには、メイン画像表示装置５ＭＡにおいて可変表示される複数種類の飾り図柄といった、複数種類の演出画像に対応した複数種類の画像要素データが含まれている。その他、画像データメモリ１３１は、メイン画像表示装置５ＭＡやサブ画像表示装置５ＳＵに表示されるキャラクタ画像データや動画像データ、具体的には、人物、文字、図形や記号など、および背景画像の画像データをあらかじめ記憶している。この実施の形態では、画像データメモリ１３１に記憶されている画像データを用いて、発光体ユニット７１〜７４を構成する複数の発光体を点灯制御するためデータ（点灯データ）が作成される。
【００７７】
発光体ユニット７１〜７４の点灯データを作成するためのデータは、サブ画像表示装置５ＳＵの画面上に表示させる演出画像の画像データに付加されて、画像データメモリ１３１に予め記憶されてもよい。あるいは、発光体ユニット７１〜７４の点灯データを作成するためのデータは、サブ画像表示装置５ＳＵの画面上に表示させる演出画像の画像データとは別個の画像データとして画像データメモリ１３１に予め記憶され、ＶＤＰ１３０が描画処理を実行するときには、点灯データの作成に用いられる表示データが、サブ画像表示装置５ＳＵの表示画面における演出画像の表示データに付加されてもよい。
【００７８】
ＶＲＡＭ１３２Ａは、画像データメモリ１３１から読み出された画像データを一時記憶して、ＶＤＰ１３０が画像データ処理を実行するためのワークエリアを提供する。ＶＲＡＭ１３２Ａの記憶領域には、例えばパレットデータが配置されるパレット領域、画像データメモリ１３１から読み出されたキャラクタ画像データが格納されるキャラクタ用バッファ、ＣＧ用バッファなどの各領域が割り当てられている。ＣＧ用バッファは、ＶＤＰ１３０による描画処理が実行されるときにキャラクタの表示色が定義されたパレットデータを一時的に保存したり、描画処理により作成される演出画像の表示データを一時的に保存したりするために用いられる。
【００７９】
フレームバッファ１３２Ｂは、ＶＤＰ１３０による描画処理などにより作成される演出画像の表示データなどが展開記憶される仮想表示領域を提供する。フレームバッファ１３２Ｂに展開記憶される表示データは、例えばポイント、ライン、ポリゴンなどのベクトルデータ（ベクタデータ）などに基づいてＶＤＰ１３０が作成したピクセルデータ（ラスタデータ）などであればよい。なお、フレームバッファ１３２Ｂには、例えばメイン画像表示装置５ＭＡの画面上に表示される各種画像の表示データを記憶する実表示領域と、メイン画像表示装置５ＭＡの画面上には表示されない各種画像の表示データを記憶する仮想表示領域とが含まれていてもよい。あるいは、フレームバッファ１３２Ｂの仮想表示領域にてメイン画像表示装置５ＭＡの表示画面と同じ大きさの画面表示を行うための表示データが作成され、ＶＤＰ１３０により読み出された仮想表示領域の表示データがメインＬＣＤ駆動回路１３３Ａへと供給されることで、メイン画像表示装置５ＭＡの側に出力されるようにしてもよい。ＶＲＡＭ１３２Ａとフレームバッファ１３２Ｂは、同一の半導体メモリ（ＳＤＲＡＭなど）における別個の記憶領域として確保されたものであってもよいし、別個の半導体メモリを用いて構成されたものであってもよい。
【００８０】
フレームバッファ１３２Ｂの記憶領域には、画像表示領域と、画像描画領域とが割り当てられる。画像表示領域には、メイン画像表示装置５ＭＡやサブ画像表示装置５ＳＵの画面上に演出画像を表示させるための表示データが格納される。画像描画領域には、描画処理により作成された各演出画像の表示データが格納される。画像表示領域と画像描画領域は、Ｖブランクが発生するごとに互いに切り替わるようにしてもよい。Ｖブランクは、メイン画像表示装置５ＭＡやサブ画像表示装置５ＳＵの画面上に表示される画像を更新する周期で発生する。Ｖブランクが開始されるごとに、ＶＤＰ１３０から演出制御用ＣＰＵ１２０に対してＶブランク割込信号が出力されるとともに、その他各種割込信号が、ＶＤＰ１３０から演出制御用ＣＰＵ１２０に対して出力される。
【００８１】
Ｖブランクが発生するごとに画像表示領域と画像描画領域とを切り替えることで、あるＶブランク周期（第１描画表示期間）において画像描画領域として割り当てられた記憶領域では各演出画像の表示データを作成する描画処理が行われるとともに、次のＶブランク周期（第２描画表示期間）おいては、この記憶領域が画像表示領域に切り替わる。したがって、第１描画表示期間における描画処理で作成された表示データは、第２描画表示期間にてメイン画像表示装置５ＭＡやサブ画像表示装置５ＳＵに向けて出力され、また、第２描画表示期間にて画像描画領域が割り当てられた記憶領域では、描画処理で作成された表示データの格納が行われることになる。
【００８２】
フレームバッファ１３２Ｂにおいて画像表示領域や画像描画領域が割り当てられる記憶領域のそれぞれには、メインフレームバッファと、サブフレームバッファとが割り当てられてもよい。メインフレームバッファには、メイン画像表示装置５ＭＡの画面上に演出画像を表示させるための表示データなどが格納される。サブフレームバッファには、サブ画像表示装置５ＳＵの画面上に演出画像を表示させるための表示データと、発光体ユニット７１〜７４の点灯データを作成するための表示データとが格納される。このように、サブフレームバッファに格納された表示データの一部を用いて、発光体ユニット７１〜７４を構成する複数の発光体を点灯制御するための点灯データが作成される。
【００８３】
演出制御用ＣＰＵ１２０は、例えばＶＤＰ１３０が備えるＣＰＵインタフェースを介して、ＶＤＰ１３０に内蔵されたシステムレジスタやアトリビュートレジスタにアクセスする。そして、演出制御パターンに含まれる表示制御データなどのプロセスデータに従ってシステムレジスタおよびアトリビュートレジスタに各種指令やデータを格納する。こうして、演出制御用ＣＰＵ１２０は、メイン画像表示装置５ＭＡおよびサブ画像表示装置５ＳＵにおける表示動作や、発光体ユニット７１〜７４における点灯動作を、間接的に制御する。
【００８４】
プロセスデータには、Ｖブランクが発生するごとに演出制御用ＣＰＵ１２０がＶＤＰ１３０のシステムレジスタやアトリビュートレジスタに対して行う設定内容が示されている。システムレジスタの設定内容としては、描画、データ転送の指令や、データ転送を行うＣＧデータやパレットデータ、アトリビュートの設定などがある。また、アトリビュートレジスタの設定内容は、演出画像の描画処理に使用されるパラメータとしてのアトリビュートを示していればよい。プロセスデータでは、Ｖブランクが発生するごとに画像の更新が行われるようにアトリビュートが設定されている。これにより、画像の更新を、Ｖブランクが発生するごとに行うことができる。
【００８５】
メインＬＣＤ駆動回路１３３Ａは、ＶＤＰ１３０から出力された表示データに応じた色信号（階調制御信号）を作成するとともに、所定のクロック信号（ドットクロック信号）や走査信号（駆動制御信号）をメイン画像表示装置５ＭＡに出力することなどにより、メイン画像表示装置５ＭＡの画面上に各種画像を表示させる回路である。サブＬＣＤ駆動回路１３３Ｂは、発光体制御回路１３４を介してＶＤＰ１３０から伝送された表示データに応じた色信号（階調制御信号）を作成するとともに、所定のクロック信号（ドットクロック信号）や走査信号（駆動制御信号）をサブ画像表示装置５ＳＵに出力することなどにより、サブ画像表示装置５ＳＵの画面上に各種画像を表示させる回路である。
【００８６】
発光体制御回路１３４は、ＶＤＰ１３０がフレームバッファ１３２Ｂのサブフレームバッファから読み出した表示データを分離した一部のデータを用いて、発光体ユニット７１〜７４における複数の発光体による点灯態様を制御する回路である。発光体制御回路１３４は、例えばＡＳＩＣ（Application Specific Integrated Circuit）といった、専用ＩＣを用いて構成されたものであればよい。あるいは、発光体制御回路１３４は、例えばＦＰＧＡ（Field-Programmable Gate Array）といったプログラム可能な集積回路を用いて構成されたものであってもよい。発光体制御回路１３４によって分離した表示データのうち、発光体ユニット７１〜７４の点灯制御に用いられない残りの表示データは、サブＬＣＤ駆動回路１３３Ｂへと出力される。
【００８７】
ＶＤＰ１３０は、表示データを出力するためのデータ信号出力系統として、メイン表示出力系統と、サブ表示出力系統といった、２系統の信号出力構成（出力回路および出力配線）を有している。この２つのデータ信号出力系統のうち一方の出力系統であるメイン表示出力系統は、メインＬＣＤ駆動回路１３３Ａを介してメイン画像表示装置５ＭＡに接続され、メイン画像表示装置５ＭＡの画面表示に使用される表示データのデータ信号を伝送する。２つのデータ信号出力系統のうち他方の出力系統であるサブ表示出力系統は、発光体制御回路１３４を介して発光体ユニット７１〜７４とサブＬＣＤ駆動回路１３３Ｂとに接続され、サブＬＣＤ駆動回路１３３Ｂからは、さらにサブ画像表示装置５ＳＵへと接続されている。こうしたサブ表示出力系統では、サブ画像表示装置５ＳＵの画面上における画像表示に使用される表示データのデータ信号が伝送されるとともに、発光体ユニット７１〜７４の点灯制御に使用される表示データのデータ信号が伝送される。発光体ユニット７１〜７４の点灯制御に使用される表示データは、発光体制御回路１３４において点灯データへと変換される。なお、メインＬＣＤ駆動回路１３３ＡやサブＬＣＤ駆動回路１３３Ｂ、発光体制御回路１３４は、演出制御基板１２とは異なる別個の基板に搭載されてもよい。
【００８８】
図９は、発光体制御回路１３４の構成例を示している。発光体制御回路１３４は、ＶＤＰ１３０から出力された表示データの一部に基づき点灯制御情報に応じた制御信号を生成することなどにより、発光体ユニット７１〜７４のそれぞれに整列配置された複数の発光体を点灯制御する。発光体制御回路１３４は、信号分離回路１４０と、バッファメモリ１４１と、点灯データ生成回路１４２と、シリアル出力回路１４３と、発光体駆動部１４４とを備えている。
【００８９】
信号分離回路１４０は、ＶＤＰ１３０から出力された表示データのうち、発光体ユニット７１〜７４の点灯制御に使用される一部の表示データを分離して、バッファメモリ１４２に一時記憶させる。発光体制御回路１３４には、ＶＤＰ１３０から出力された表示データのうち、サブ表示出力系統に対応して出力された表示データが入力される。信号分離回路１４０は、発光体制御回路１３４に入力された表示データのうちで、さらに発光体ユニット７１〜７４の点灯制御に使用される一部の表示データを分離する。例えば信号分離回路１４０は、所定の同期信号（水平同期信号または垂直同期信号）やクロック信号（ドットクロック信号）に基づいて、点灯制御に使用される表示データを特定する。こうして特定した表示データを、バッファメモリ１４１における先頭の記憶領域（バッファメモリエリア）から所定順序で書き込んで一時記憶させる。
【００９０】
点灯データ生成回路１４２は、バッファメモリ１４１に一時記憶されている表示データを読み出し、所定の変換処理を実行することで、点灯制御情報を構成する点灯データを生成する。バッファメモリ１４１にはＶＤＰ１３０からサブ表示出力系統に対応して出力された表示データの一部が記憶される。したがって、点灯データ生成回路１４２は、ＶＤＰ１３０によって作成された表示データの一部を点灯データに変換する。点灯データ生成回路１４２によって生成される点灯データには、発光体の駆動タイミングを指定する駆動制御情報となる駆動制御データと、発光体の各発光色に対応した輝度（階調）を指定する階調制御情報となる階調データとが、含まれていればよい。
【００９１】
点灯データ生成回路１４２は、可動部材５１〜５４のそれぞれにおいて複数の発光体が配置された領域を複数のブロックに分割し、それらのブロックごとに発光体の点灯データを作成する。この実施の形態では、複数のブロックとして、発光体ブロックＢ０１〜Ｂ４２が予め設定されている。点灯データ生成回路１４３は、発光体ブロックＢ０１〜Ｂ４２のそれぞれに対応する点灯データを生成する。
【００９２】
図１０は、可動部材５１における複数の発光体が整列配置された領域について、複数のブロックに分割する設定例を示している。可動部材５１にて複数の発光体が配置された領域は、図１０（ａ）に示すような発光体ブロックＢ０１〜Ｂ０６と、図１０（ｂ）に示すような発光体ブロックＢ０７〜Ｂ１５とに分割される。可動部材５１以外の可動部材５２〜５４についても、可動部材５１と同様に、複数の発光体が配置された領域を複数のブロックに分割するように設定する。これにより、可動部材５１〜５４のそれぞれに設けられた発光体ユニット７１〜７４の全体では、発光体ブロックＢ０１〜Ｂ４２に分割されている。なお、発光体ブロックの分割数は、演出可動機構５０を構成する可動部材の数や、複数の発光体が配置された領域の大きさなどに基づいて、任意に設定されたものであればよい。
【００９３】
発光体ブロックＢ０１〜Ｂ４２のそれぞれは、長方形または正方形といった方形状を基本形状としている。そのため、可動部材５１〜５４の形状などによって、発光体ユニット７１〜７４のそれぞれにて複数の発光体が配置された領域のうちには、方形状の発光体ブロックに収まりきれず、１の発光体ブロックに満たない発光体が配置された余り領域が生じることがある。また、複数の発光体ブロックのうちには、方形状の一部に発光体が配置されていない空き領域が生じることがある。そこで、１の発光体ブロックに満たない発光体が配置された余り領域を、いずれかの発光体ブロックにおける空き領域に含めることで、複数の発光体に対する点灯制御の処理負担を軽減させる。
【００９４】
シリアル出力回路１４３は、点灯データ生成回路１４２が生成した点灯データに対応する点灯制御情報を含む制御信号を、シリアル信号方式で発光体駆動部１４４に出力する。点灯データに応じた制御信号には、駆動制御データに応じた駆動制御信号と、階調データに応じた階調データ信号とが含まれていればよい。シリアル出力回路１４３は、制御信号を出力するためのシリアル出力系統として、例えば２１系統といった、複数の信号出力構成（出力回路および出力配線）を有している。シリアル出力回路１４３には、２１系統のシリアル出力系統Ｋ０１〜Ｋ２１のそれぞれに対応するシリアル信号配線が接続され、各配線にシリアル信号方式で、点灯制御情報を含む制御信号を出力する。このように、シリアル出力回路１４３は、点灯制御情報を含む制御信号をシリアル信号方式で複数系統のシリアル信号配線に出力する。
【００９５】
図１１は、シリアル出力系統と発光体ブロックとの接続設定例を示している。図１１に示す接続設定例では、シリアル出力系統Ｋ０１〜Ｋ２１ごとに、発光体ブロックＢ０１〜Ｂ４２のうち２つの発光体ブロックが割り当てられるように接続されている。例えば、シリアル出力系統Ｋ０１には、シリアル信号配線を介して、発光体ブロックＢ０１および発光体ブロックＢ０２を点灯制御するための発光体ドライバなどが接続されている。シリアル出力系統Ｋ０２には、シリアル信号配線を介して、発光体ブロックＢ０３および発光体ブロックＢ０４を点灯制御するための発光体ドライバなどが接続されている。シリアル出力系統Ｋ０３以降についても、１のシリアル出力系統に対して２つの発光体ブロックを点灯制御するための発光体ドライバなどが接続されている。１のシリアル出力系統に割り当てられた発光体ブロックに含まれる発光体の点灯制御を行う複数の発光体ドライバは、シリアル信号配線を介したシリアルバス方式で接続されていればよい。なお、シリアルバス方式で接続されるものに限定されず、複数の発光体ドライバが直列接続（デイジーチェーン方式で接続）されてもよい。
【００９６】
図９に示す発光体駆動部１４４は、発光体ブロックＢ０１〜Ｂ４２のそれぞれに分割された領域に含まれる複数の発光体を点灯制御する複数の発光体ドライバを含んで構成される。各発光体ドライバは、シリアル信号配線を介してシリアル出力回路１４３から伝送された制御信号で示される点灯制御情報に基づいて、複数の発光体の点灯制御を行う。各発光体ドライバは、例えばシフトレジスタを含んで構成され、シリアル信号方式で伝送されたデータをパラレル信号方式のデータに変換して、複数の信号線に出力する。複数の発光体ドライバはそれぞれ、駆動制御信号で示される駆動制御データに応じて発光体の駆動制御を行う駆動制御回路となるストローブ側の発光体ドライバと、階調データ信号で示される階調データに応じて発光体の階調制御を行う階調制御回路となるデジット側の発光体ドライバとのうち、いずれかに分類される。発光体ブロックＢ０１〜Ｂ４２のそれぞれでは、ストローブ側の発光体ドライバと、デジット側の発光体ドライバとを用いて、発光体ブロックごとに複数の発光体のダイナミック点灯制御が行われる。
【００９７】
図１２は、具体的な一例として、発光体ブロックＢ１１に対応する発光体ドライバの構成例を示している。図１２に示す構成例では、発光体ブロックＢ１１に対応する複数の発光体ドライバとして、ストローブ側の発光体ドライバ４１１Ｓと、デジット上側の発光体ドライバ４１１ＤＵと、デジット下側の発光体ドライバ４１１ＤＤとが設けられている。図１１に示すシリアル出力系統Ｋ０６のシリアル信号配線は、シリアル出力回路１４３から発光体ブロックＢ１１に対応するストローブ側の発光体ドライバ４１１Ｓ、デジット上側の発光体ドライバ４１１ＤＵ、デジット下側の発光体ドライバ４１１ＤＤの順に接続され、続いて発光体ブロックＢ１２に対応して設けられた発光体ドライバへと接続されていればよい。
【００９８】
発光体ドライバ４１１Ｓ、発光体ドライバ４１１ＤＵ、発光体ドライバ４１１ＤＤのそれぞれには、互いに異なるアドレス情報が割り当てられている。シリアル出力回路１４３は、アドレス情報を付加した点灯制御情報を示す制御信号を、シリアル出力系統Ｋ０６に含まれるシリアル信号配線に出力することで、発光体ブロックＢ１１に対応する複数の発光体ドライバのいずれかに点灯制御情報を伝達する。
【００９９】
シリアル信号配線には、シリアルクロックＳＣが伝送されるシリアルクロック配線と、シリアルクロックＳＣに同期したシリアルデータＳＤが伝送されるシリアルデータ配線とが含まれていればよい。シリアル信号配線に接続された発光体ドライバは、シリアルクロックＳＣに同期したシリアルデータＳＤとして伝送される駆動制御データまたは階調データを取り込んで、複数の発光体の点灯制御を行う。
【０１００】
発光体ブロックＢ１１は、デジット上側の発光体ドライバ４１１ＤＵによって階調制御される複数の発光体から構成されるハーフブロックＢ１１Ｕと、デジット下側の発光体ドライバ４１１ＤＤによって階調制御される複数の発光体から構成されるハーフブロックＢ１１Ｄとの組合せで構成されている。このように、各発光体ブロックは、その発光体ブロックよりも小さいモジュールとなるハーフブロックの組合せで構成されていればよい。なお、複数の発光体ブロックは、２つのハーフブロックの組合せで構成されたものに限定されない。例えば、複数の発光体ブロックのうちには、２つのハーフブロックを組み合わせて構成された発光体ブロックの他に、１つのハーフブロックのみで構成された発光体ブロックが含まれていてもよい。発光体ブロックＢ１１が１つのハーフブロックのみで構成される場合には、ストローブ側の発光体ドライバ４１１Ｓと、デジット上側の発光体ドライバ４１１ＤＵとを備える一方、デジット下側の発光体ドライバ４１１ＤＤを備えない構成とすればよい。このように、各発光体ブロックは、ストローブ側の発光体ドライバを１つ備えるとともに、デジット側の発光体ドライバを１つまたは２つ備えるように構成されればよい。
【０１０１】
ハーフブロックＢ１１ＵとハーフブロックＢ１１Ｄはそれぞれ、発光体の数が同数となるように構成されていればよい。例えば、ストローブ側の発光体ドライバ４１１Ｓは、１２本のストローブ信号線が接続され、１２列に整列配置された複数の発光体を駆動制御するための駆動制御信号となるストローブ信号を出力する。デジット上側の発光体ドライバ４１１ＤＵとデジット下側の発光体ドライバ４１１ＤＤはそれぞれ、８本のデジット信号線が接続され、８行に整列配置された複数の発光体を階調制御するための階調データ信号となるデジット信号を出力する。したがって、デジット上側に対応するハーフブロックＢ１１Ｕとデジット下側に対応するハーフブロックＢ１１Ｄはいずれも、ストローブ側の１２列およびデジット側の８行からなる合計９６個の発光体を含むように形成されている。発光体ブロックＢ１１以外の発光体ブロックを構成するハーフブロックについても同様に、合計９６個の発光体を含むように形成されていればよい。このように、発光体ブロックを構成するモジュールとしてのハーフブロックは、いずれも同数の発光体を点灯制御できるように構成されていればよい。
【０１０２】
なお、１つのハーフブロックに含まれる発光体の数は、合計９６個に限定されず、発光体ドライバの仕様や設計などに基づいて予め定められた任意の個数であればよい。例えば、ストローブ信号線を８本構成として、８列に整列配置された複数の発光体を駆動制御する場合には、ストローブ側の８列およびデジット側の８行からなる合計６４個の発光体が、１つのハーフブロックに含まれるように形成すればよい。また、１つのハーフブロックで点灯制御できる発光体の数と、実際に１つのハーフブロックに含まれている発光体の数とは、必ずしも常に一致していなくてもよい。例えば、１つのハーフブロックで点灯制御できる発光体の数が９６個である一方、実際に１つのハーフブロックに含まれる発光体の数は、発光体ユニット７１〜７４における発光体の配置などにより、９６個よりも少なくなる場合があってもよい。このように、複数の発光体が配置された領域を分割した複数のブロックよりも小さいモジュールとしてのハーフブロックごとに、所定数以下の発光体を点灯制御するように構成されていればよい。
【０１０３】
点灯データ生成回路１４２は、複数の発光体ブロックＢ０１〜Ｂ４２ごとに、複数の発光体をダイナミック点灯制御するための点灯データを生成する。例えば発光体の駆動タイミングを指定する駆動制御情報となる駆動制御データとして、ストローブ信号線ごとに異なるタイミングで複数の発光体を時分割駆動するための制御データを生成する。また、各デジット信号線に接続された複数の発光体に応じたＰＷＭ（Pulse Width Modulation）制御により発光色ごとの輝度（階調）を指定する階調制御情報となる階調データを生成する。なお、デジット側の発光体ドライバは、ＰＷＭ制御方式のようにパルス信号の出力期間に応じて発光体の階調制御を行うものに限定されず、例えば一定期間内に出力するパルス信号の数（パルス数）や、パルス信号の振幅（駆動電流値）といった、パルス信号の物理量（パルス量）に応じて発光体の階調制御を行うものであればよい。
【０１０４】
シリアル出力回路１４３は、点灯データ生成回路１４２によって生成された点灯データをシリアル信号方式で、点灯制御の対象となる発光体ブロックが接続されたシリアル出力系統のシリアル信号配線に出力する。各発光体ブロックに対応して設けられたストローブ側の発光体ドライバは、駆動制御データに基づくストローブ信号を出力することで、ストローブ信号線に接続された複数の発光体を駆動制御する。各発光体ブロックに対応して設けられたデジット上側またはデジット下側の発光体ドライバは、階調データに基づくデジット信号を出力することで、デジット信号線に接続された複数の発光体を階調制御する。こうして、発光体ユニット７１〜７４のそれぞれでは、整列配置された複数の発光体が、ストローブ信号がオンとなる発光駆動期間にてデジット信号に応じたデューティ比で発光して、複数の発光体ブロックＢ０１〜Ｂ４２ごとに、ダイナミック点灯方式（パルス点灯方式、デューティ点灯方式、時分割点灯方式ともいう）により点灯態様を変化させることができる。このように、複数の発光体ブロックＢ０１〜Ｂ４２ごとにダイナミック点灯制御を行うように構成することで、発光体駆動部１４４では、複数の発光体ドライバを用いた点灯制御の並列実行が可能になる。
【０１０５】
図７に示す演出制御基板１２に搭載された乱数回路１２４は、演出動作の制御に用いられる各種の乱数値を示す数値データを更新可能にカウントする。こうした演出動作を制御するために用いられる乱数は、遊技用乱数ともいう。Ｉ／Ｏ１２５は、例えば主基板１１などから伝送された演出制御コマンドを取り込むための入力ポートと、演出制御基板１２の外部へと各種信号を伝送するための出力ポートとを含んで構成される。
【０１０６】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。この遊技球が普通入賞球装置６Ａに形成された第１始動入賞口を通過（進入）すると、その遊技球が図７に示す第１始動口スイッチ２２Ａによって検出されたことなどに基づいて第１始動条件が成立する。その後、例えば前回の特図ゲームや大当り遊技状態が終了したことなどに基づいて第１開始条件が成立する。こうして、第１特別図柄表示装置４Ａによる第１特図を用いた特図ゲームが開始される。
【０１０７】
遊技領域に向けて発射された遊技球が、普通可変入賞球装置６Ｂに形成された第２始動入賞口を通過（進入）すると、その遊技球が図７に示す第２始動口スイッチ２２Ｂによって検出される。第２始動口スイッチ２２Ｂによって遊技球が検出されたことに基づいて、第２始動条件が成立する。その後、例えば前回の特図ゲームや大当り遊技状態が終了したことなどに基づいて、第２開始条件が成立する。こうして、第２特別図柄表示装置４Ｂによる第２特図を用いた特図ゲームが実行される。なお、普通可変入賞球装置６Ｂが第２可変状態としての通常開放状態であるときには、第２始動入賞口を遊技球が通過困難または通過不可能である。
【０１０８】
普通可変入賞球装置６Ｂでは、普通図柄表示器２０による普通図柄の可変表示結果が「普図当り」となったことに基づいて、電動チューリップの可動翼片が傾動位置となる開放制御や拡大開放制御が行われ、所定時間が経過すると垂直位置に戻る閉鎖制御や通常開放制御が行われる。開放制御や拡大開放制御により、普通可変入賞球装置６Ｂが第１可変状態としての拡大開放状態であるときに、第２始動入賞口を遊技球が通過容易または通過可能になる。普通図柄表示器２０による普通図柄の可変表示を実行するための普図始動条件は、通過ゲート４１を通過した遊技球が図７に示すゲートスイッチ２１によって検出されたことに基づいて成立する。普図始動条件が成立した後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定時間が経過すると、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。
【０１０９】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果を予め定められた特定表示結果としての「大当り」にするか否かが、その可変表示結果を導出表示する以前に決定（事前決定）される。そして、可変表示結果の決定に基づく所定割合で、変動パターンの決定などが行われ、可変表示結果や変動パターンを指定する演出制御コマンドが、図７に示す主基板１１の遊技制御用マイクロコンピュータ１００から演出制御基板１２に向けて伝送される。
【０１１０】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、メイン画像表示装置５ＭＡの画面上に配置された「左」、「中」、「右」の飾り図柄表示エリア５Ｌ、５Ｃ、５Ｒでは、特別図柄とは異なる飾り図柄（演出図柄）の可変表示が行われる。「左」、「中」、「右」の飾り図柄表示エリア５Ｌ、５Ｃ、５Ｒで可変表示される飾り図柄は、それぞれ左図柄、中図柄、右図柄ともいう。
【０１１１】
第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、メイン画像表示装置５ＭＡにおいて飾り図柄の可変表示結果となる確定飾り図柄が導出表示される。特別図柄の可変表示結果として、予め定められた大当り図柄が導出表示されたときには可変表示結果が「大当り」（特定表示結果）となり、予め定められたハズレ図柄が導出表示されたときには可変表示結果が「ハズレ」（非特定表示結果）となる。可変表示結果が「大当り」となったことに基づいて、遊技者にとって有利な特定遊技状態としての大当り遊技状態に制御される。すなわち、大当り遊技状態に制御されるか否かは、可変表示結果が「大当り」となるか否かに対応しており、その可変表示結果を導出表示する以前に決定（事前決定）される。
【０１１２】
特図ゲームにおける特別図柄の可変表示結果が「大当り」となるときには、メイン画像表示装置５ＭＡの画面上において、予め定められた大当り組合せとなる確定飾り図柄が導出表示される。一例として、「左」、「中」、「右」の飾り図柄表示エリア５Ｌ、５Ｃ、５Ｒにおける所定の有効ライン上に同一の飾り図柄が揃って停止表示されることにより、大当り組合せとなる確定飾り図柄が導出表示されればよい。
【０１１３】
大当り遊技状態では、大入賞口が開放状態となって特別可変入賞球装置７が遊技者にとって有利な第１状態となる。そして、所定期間（例えば２９．５秒間）あるいは所定個数（例えば１０個）の遊技球が大入賞口に進入して入賞球が発生するまでの期間にて、大入賞口を継続して開放状態とするラウンド遊技（単に「ラウンド」ともいう）が実行される。こうしたラウンド遊技の実行期間以外の期間では、大入賞口が閉鎖状態となり、入賞球が発生困難または発生不可能となる。大入賞口に遊技球が進入したときには、大入賞口スイッチ２３により入賞球が検出され、その検出ごとに所定個数（例えば１５個）の遊技球が賞球として払い出される。大当り遊技状態におけるラウンド遊技は、所定の上限回数（例えば「１６」）に達するまで繰返し実行される。したがって、大当り遊技状態では、遊技者が多数の賞球をきわめて容易に獲得することができ、遊技者にとって有利な遊技状態となる。なお、パチンコ遊技機１は、賞球となる遊技球を直接に払い出すものであってもよいし、賞球となる遊技球の個数に対応した得点を付与するものであってもよい。
【０１１４】
大当り遊技状態が終了した後には、所定の確変制御条件が成立したことに基づいて遊技状態が確変状態となり、可変表示結果が「大当り」となる確率（大当り確率）が通常状態よりも高くなる確変制御が行われることがある。確変状態は、所定回数（例えば１００回）の可変表示が実行されること、または可変表示の実行回数が所定回数に達する以前に大当り遊技状態が開始されることなど、所定の確変終了条件が成立するまで継続するように制御される。なお、確変終了条件は、可変表示の実行回数にかかわらず、次回の大当り遊技状態が開始されるときに成立するようにしてもよい。大当り遊技状態が終了した後には遊技状態が時短状態となり、平均的な可変表示時間が通常状態よりも短くなる時短制御が行われることがある。時短状態は、所定回数（例えば１００回）の可変表示が実行されたこと、または可変表示の実行回数が所定回数に達する以前に大当り遊技状態が開始されることなど、所定の時短終了条件が成立するまで継続するように制御される。
【０１１５】
確変状態や時短状態では、通常状態よりも第２始動入賞口を遊技球が通過（進入）しやすい有利変化態様で、普通可変入賞球装置６Ｂを第１可変状態（開放状態または拡大開放状態）と第２可変状態（閉鎖状態または通常開放状態）とに変化させる。例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御（「高ベース制御」ともいう）と称される。こうした確変状態や時短状態に制御されることにより、次に可変表示結果が「大当り」となるまでの所要時間が短縮され、通常状態よりも遊技者にとって有利な特別遊技状態（「有利遊技状態」ともいう）となる。なお、確変状態にて確変制御が行われるときでも、高開放制御が行われない場合があってもよい。
【０１１６】
メイン画像表示装置５ＭＡにおいて、最終停止図柄（例えば左図柄、中図柄、右図柄のうちの中図柄）となる図柄以外の図柄が、所定時間継続して大当り組合せと一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出を、リーチ演出という。また、リーチ状態やその様子をリーチ態様という。さらに、リーチ演出が含まれる可変表示をリーチ可変表示という。リーチ態様は、飾り図柄の変動パターンなどに対応して予め複数種類が用意されており、リーチ態様に応じて可変表示結果が「大当り」となる可能性（大当り期待度）が異なる。すなわち、複数種類のリーチ演出のいずれが実行されるかに応じて、可変表示結果が「大当り」となる可能性を異ならせることができる。リーチ演出のうちには、ノーマルのリーチ演出と、ノーマルのリーチ演出よりも大当り期待度が高いスーパーリーチのリーチ演出とが含まれていればよい。そして、メイン画像表示装置５ＭＡの画面上で変動表示される図柄の表示結果が大当り組合せでない場合には「ハズレ」となり、変動表示状態は終了する。
【０１１７】
メイン画像表示装置５ＭＡの画面上における液晶表示の演出として飾り図柄の可変表示が行われる。加えて、メイン画像表示装置５ＭＡやサブ画像表示装置５ＳＵの画面上では、例えばキャラクタ画像を用いる演出や、大当り判定と変動パターンの判定結果などに基づいて報知画像を表示するような演出も実行される。特別図柄や飾り図柄の可変表示が行われている可変表示中に実行される各種の演出は、「可変表示中演出」ともいう。可変表示中演出の一例として、飾り図柄の可変表示動作とは異なる演出動作により、飾り図柄の可変表示状態がリーチ状態となる可能性や、スーパーリーチのリーチ演出が実行される可能性、可変表示結果が「大当り」となる可能性などを、遊技者に予め示唆するための予告演出が実行されることがある。
【０１１８】
予告演出となる演出動作は、「左」、「中」、「右」の飾り図柄表示エリア５Ｌ、５Ｃ、５Ｒの全部にて飾り図柄の可変表示が開始されてから、飾り図柄の可変表示状態がリーチ状態となるより前（「左」及び「右」の飾り図柄表示エリア５Ｌ、５Ｒにて飾り図柄が仮停止表示されるより前）に実行（開始）されるものであればよい。また、可変表示結果が「大当り」となる可能性があることを報知する予告演出には、飾り図柄の可変表示状態がリーチ状態となった後に実行されるものが含まれていてもよい。このように、予告演出は、特別図柄や飾り図柄の可変表示が開始されてから可変表示結果となる確定特別図柄や確定飾り図柄が導出されるまでの所定タイミングにて、大当り遊技状態となる可能性を予告できるものであればよい。こうした予告演出を実行する場合における演出動作の内容（演出態様）に対応して、複数の予告演出パターンが予め用意されている。
【０１１９】
第１特別図柄表示装置４Ａまたは第２特別図柄表示装置４Ｂにハズレ図柄が停止表示（導出）されて可変表示結果が「ハズレ」となる場合には、可変表示態様が「非リーチ」（「通常ハズレ」ともいう）となる場合と、可変表示態様が「リーチ」（「リーチハズレ」ともいう）となる場合とが含まれている。可変表示態様が「非リーチ」となる場合には、飾り図柄の可変表示が開始されてから、飾り図柄の可変表示状態がリーチ状態とならずに、リーチにならない所定の飾り図柄の組合せ（非リーチ組合せ）が停止表示（導出）される。可変表示態様が「リーチ」となる場合には、飾り図柄の可変表示が開始されてから、飾り図柄の可変表示状態がリーチ状態となった後にリーチ演出が実行され、最終的に大当り組合せとはならない所定の飾り図柄の組合せ（リーチハズレ組合せ）が停止表示（導出）される。
【０１２０】
パチンコ遊技機１において遊技媒体として用いられる遊技球や、その個数に対応して付与される得点の記録情報は、例えば数量に応じて特殊景品や一般景品に交換可能な有価価値を有するものであればよい。あるいは、これらの遊技球や得点の記録情報は、特殊景品や一般景品には交換できないものの、パチンコ遊技機１で再度の遊技に使用可能な有価価値を有するものであってもよい。
【０１２１】
また、パチンコ遊技機１において付与可能となる遊技価値は、賞球となる遊技球の払出しや得点の付与に限定されず、例えば大当り遊技状態に制御することや、確変状態などの特別遊技状態に制御すること、大当り遊技状態にて実行可能なラウンドの上限回数が第２ラウンド数（例えば「７」）よりも多い第１ラウンド数（例えば「１５」）となること、時短状態にて実行可能な可変表示の上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に繰り返し制御される回数である連チャン回数が第２連チャン数（例えば「５」）よりも多い第１連チャン数（例えば「１０」）となることの一部または全部といった、遊技者にとってより有利な遊技状況となることが含まれていてもよい。
【０１２２】
次に、本実施例におけるパチンコ遊技機１の動作（作用）を説明する。
【０１２３】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【０１２４】
このような遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。遊技制御用タイマ割込処理には、例えばスイッチ処理やメイン側エラー処理、情報出力処理、遊技用乱数更新処理、遊技制御プロセス処理、普通図柄プロセス処理、コマンド制御処理といった、パチンコ遊技機１における遊技の進行などを制御するための処理が含まれている。
【０１２５】
スイッチ処理は、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する処理である。メイン側エラー処理は、パチンコ遊技機１の異常診断を行い、その診断結果に応じて必要ならば警告を発生可能とする処理である。情報出力処理は、例えばパチンコ遊技機１の外部に設置されたホール管理用コンピュータに供給される大当り情報、始動情報、確率変動情報などのデータを出力する処理である。遊技用乱数更新処理は、主基板１１の側で用いられる複数種類の遊技用乱数のうち、少なくとも一部をソフトウェアにより更新するための処理である。
【０１２６】
遊技制御用タイマ割込処理に含まれる遊技制御プロセス処理では、ＲＡＭ１０２に設けられた遊技プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。普通図柄プロセス処理は、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする処理である。
【０１２７】
コマンド制御処理は、主基板１１から演出制御基板１２などのサブ側の制御基板に対して制御コマンドを伝送させる処理である。一例として、コマンド制御処理では、ＲＡＭ１０２に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０１２８】
図１３は、遊技制御プロセス処理の一例を示すフローチャートである。図１３に示す遊技制御プロセス処理において、遊技制御用マイクロコンピュータ１００のＣＰＵ１０３は、まず、始動入賞が発生したか否かを判定する（ステップＳ１１）。一例として、ステップＳ１１では、第１始動口スイッチ２２Ａや第２始動口スイッチ２２Ｂから伝送される検出信号となる始動入賞信号の入力状態（オン／オフ）をチェックして、オン状態であれば始動入賞が発生したと判定すればよい。
【０１２９】
ステップＳ１１にて始動入賞が発生した場合には（ステップＳ１１；Ｙｅｓ）、入賞時乱数を格納する（ステップＳ１２）。一例として、ステップＳ１２の処理では、遊技制御用マイクロコンピュータ１００に内蔵（または外付）の乱数回路１０４や、遊技制御用マイクロコンピュータ１００におけるＲＡＭ１０２の所定領域に設けられたランダムカウンタ、遊技制御用マイクロコンピュータ１００においてＲＡＭ１０２とは別個に設けられた内部レジスタを用いて構成されたランダムカウンタなどのうち、少なくとも一部により更新される遊技用乱数（可変表示結果決定用の乱数値、遊技状態決定用の乱数値、変動パターン決定用の乱数値）を示す数値データの一部または全部を抽出する。このとき抽出された乱数値は、例えば遊技制御用マイクロコンピュータ１００におけるＲＡＭ１０２の所定領域に設けられた保留用乱数値記憶部などに、保留番号と対応付けた保留データとして記憶されればよい。
【０１３０】
ステップＳ１２の処理に続いて、始動入賞時に対応した各種の制御コマンドを送信する（ステップＳ１３）。一例として、ステップＳ１３の処理では、始動入賞の発生を通知する始動入賞指定コマンドを、演出制御基板１２に対して送信するための設定が行われればよい。ステップＳ１１にて始動入賞が発生していない場合や（ステップＳ１１；Ｎｏ）、ステップＳ１３の処理を実行した後には、遊技プロセスフラグの値を判定する（ステップＳ２１）。そして、遊技制御用のコンピュータプログラムに予め記述された複数の処理から、判定値に応じた処理を選択して実行する。
【０１３１】
例えば、遊技プロセスフラグの値が“０”であるときには、図柄の可変表示（可変表示ゲーム）が開始可能であるか否かを判定する（ステップＳ１０１）。一例として、ステップＳ１０１の処理では、保留用乱数値記憶部の記憶内容をチェックすることなどにより、可変表示ゲームの保留数が「０」であるか否かを判定する。このとき、保留数が「０」以外である場合には、可変表示の始動条件が成立した後、未だ開始条件が成立していない可変表示の保留が行われていることから、可変表示が開始可能であると判定する。これに対して、保留数が「０」である場合には、可変表示が開始不可能であると判定する。可変表示が開始不可能であるときには（ステップＳ１０１；Ｎｏ）、遊技制御プロセス処理を終了する。
【０１３２】
ステップＳ１０１にて可変表示が開始可能であるときには（ステップＳ１０１；Ｙｅｓ）、可変表示結果として導出表示される確定図柄を決定する（ステップＳ１０２）。特図ゲームにおける特別図柄の可変表示結果は、特図表示結果と称される。ステップＳ１０２の処理では、保留用乱数値記憶部において先頭（保留番号が最小の記憶領域）に記憶されている遊技用乱数（可変表示結果決定用の乱数値、遊技状態決定用の乱数値、変動パターン決定用の乱数値など）を読み出す。保留用乱数値記憶部から読み出した遊技用乱数は、遊技制御用マイクロコンピュータ１００におけるＲＡＭ１０２の所定領域に設けられた可変表示用乱数バッファなどに一時記憶させておけばよい。そして、可変表示結果決定用の乱数値と可変表示結果決定テーブルとを用いて、可変表示結果を「大当り」とするか否かを所定割合で決定する。ここで、パチンコ遊技機１における遊技状態が確変状態であるときには、通常状態や時短状態であるときよりも高い割合で、可変表示結果が「大当り」に決定されるように、可変表示結果決定テーブルにおける判定値が設定されていればよい。
【０１３３】
ステップＳ１０２の処理にて可変表示結果が「大当り」に決定されたときには、さらに遊技状態決定用の乱数値と遊技状態決定テーブルとを用いて、大当り遊技状態の終了後における遊技状態を確変状態といった特別遊技状態とするか否かの決定を行う。これらの決定結果に対応して、可変表示結果として導出表示される確定図柄を決定すればよい。
【０１３４】
ステップＳ１０２の処理に続いて、内部フラグなどの設定を行う（ステップＳ１０３）。一例として、ステップＳ１０３の処理では、ステップＳ１０２の処理にて可変表示結果が「大当り」に決定されたときに、遊技制御用マイクロコンピュータ１００におけるＲＡＭ１０２の所定領域に設けられた大当りフラグをオン状態にセットする。また、大当り遊技状態の終了後における遊技状態を確変状態とすることが決定されたときには、遊技制御用マイクロコンピュータ１００におけるＲＡＭ１０２の所定領域に設けられた確変確定フラグをオン状態にセットするなどして、確変状態となることを特定可能に記憶しておいてもよい。その後、遊技プロセスフラグの値を“１”に更新してから（ステップＳ１０４）、遊技制御プロセス処理を終了する。
【０１３５】
遊技プロセスフラグの値が“１”であるときには、変動パターンなどを決定する（ステップＳ１１１）。図１４は、パチンコ遊技機１において用いられる変動パターンの設定例を示している。各変動パターンは、可変表示が開始されてから可変表示結果となる確定図柄が導出表示されるまでの所要時間（可変表示時間）や演出態様の概略を特定可能に示している。この実施の形態では、可変表示結果が「ハズレ」となる場合のうち、画像表示装置５において可変表示される飾り図柄の可変表示態様が「非リーチ」である場合と「リーチ」である場合のそれぞれに対応して、また、可変表示結果が「大当り」となる場合などに対応して、複数の変動パターンが予め用意されている。変動パターンは、特図ゲームや飾り図柄の可変表示における変動時間（可変表示時間）ごとに、予め複数パターンが用意されている。したがって、変動パターンを決定することにより、特別図柄や飾り図柄の可変表示時間を決定することができる。
【０１３６】
ステップＳ１１１の処理では、可変表示用乱数バッファに一時記憶されている変動パターン決定用の乱数値と変動パターン決定テーブルとを用いて、使用パターンとなる変動パターンを所定割合で決定する。このときには、各変動パターンの決定割合を、可変表示結果が「大当り」に決定されたか否かに応じて異ならせることにより、各変動パターンに対応して可変表示結果が「大当り」となる可能性（大当り信頼度）を異ならせることができる。
【０１３７】
また、ステップＳ１１１の処理では、可変表示結果が「ハズレ」に決定された場合の変動パターンを決定することにより、飾り図柄の可変表示状態を「リーチ」とするか否かが決定されてもよい。あるいは、変動パターンを決定するより前に、リーチ決定用の乱数値とリーチ決定テーブルとを用いて、飾り図柄の可変表示状態を「リーチ」とするか否かを決定するようにしてもよい。すなわち、ステップＳ１１１の処理では、可変表示結果やリーチ有無の決定結果に基づいて、変動パターンを複数種類のいずれかに決定することができればよい。
【０１３８】
ステップＳ１１１の処理に続いて、可変表示開始時に対応した各種の制御コマンドを送信する（ステップＳ１１２）。一例として、ステップＳ１１２の処理では、可変表示の開始を指定する可変表示開始コマンドとして、可変表示結果を通知する可変表示結果通知コマンドや、飾り図柄の可変表示時間およびリーチ演出の種類等の可変表示態様を示す変動パターンを通知する変動パターン指定コマンドなどを、送信するための設定が行われればよい。また、可変表示の開始により保留数が減少することに対応して、減少後の保留数を通知する保留数通知コマンドを送信するための設定が行われてもよい。
【０１３９】
ステップＳ１１２の処理により変動パターンが決定されたことに対応して、可変表示時間が設定される。また、第１特別図柄表示装置４Ａや第２特別図柄表示装置４Ｂのいずれかによる特別図柄の可変表示を開始させるための設定が行われてもよい。一例として、第１特別図柄表示装置４Ａと第２特別図柄表示装置４Ｂのいずれかに対して所定の駆動信号を伝送することにより、図柄の可変表示が開始されればよい。いずれの特別図柄表示装置における特別図柄を用いた特図ゲームを実行するかは、第１始動入賞口と第２始動入賞口のいずれを遊技球が通過したことに基づく特図ゲームであるかに応じて、設定されればよい。より具体的には、第１始動入賞口を遊技球が通過したことに基づいて、第１特別図柄表示装置４Ａによる特図ゲームが行われる。一方、第２始動入賞口を遊技球が通過したことに基づいて、第２特別図柄表示装置４Ｂによる特図ゲームが行われる。その後、遊技プロセスフラグの値を“２”に更新してから（ステップＳ１１３）、遊技制御プロセス処理を終了する。
【０１４０】
遊技プロセスフラグの値が“２”であるときには、可変表示時間が経過したか否かを判定する（ステップＳ１２１）。そして、可変表示時間が経過していない場合には（ステップＳ１２１；Ｎｏ）、特別図柄の可変表示制御を行ってから（ステップＳ１２２）、遊技制御プロセス処理を終了する。これに対して、可変表示時間が経過した場合には（ステップＳ１２１；Ｙｅｓ）、特別図柄の可変表示を停止させ、確定図柄を導出表示させる制御を行う（ステップＳ１２３）。
【０１４１】
ステップＳ１２３の処理に続いて、可変表示終了時に対応した各種の制御コマンドを送信する（ステップＳ１２４）。一例として、ステップＳ１２４の処理では、可変表示の終了（停止）を指示する可変表示終了コマンドや、可変表示結果が「大当り」の場合に大当り遊技状態の開始を指定する大当り開始指定コマンド（ファンファーレコマンド）などを、送信するための設定が行われればよい。
【０１４２】
ステップＳ１２４の処理を実行した後には、可変表示結果が「大当り」であるか否かを判定する（ステップＳ１２５）。そして、可変表示結果が「大当り」である場合には（ステップＳ１２５；Ｙｅｓ）、遊技プロセスフラグの値を“３”に更新してから（ステップＳ１２６）、遊技制御プロセス処理を終了する。これに対して、可変表示結果が「大当り」ではなく「ハズレ」である場合には（ステップＳ１２５；Ｎｏ）、遊技プロセスフラグをクリアして、その値を“０”に初期化してから（ステップＳ１２７）、遊技制御プロセス処理を終了する。なお、ステップＳ１２７の処理が実行されるときには、確変状態や時短状態を終了させるか否かの判定を行い、所定条件の成立に基づき終了させると判定したときに、これらの遊技状態を終了して通常状態に制御するための設定が行われてもよい。
【０１４３】
遊技プロセスフラグの値が“３”であるときには、所定の大当り終了条件が成立したか否かに応じて、大当り遊技状態を終了させるか否かを判定する（ステップＳ１３１）。大当り終了条件は、例えば大当り遊技状態において実行されるラウンドがすべて終了したことなどであればよい。大当り遊技状態を終了させない場合には（ステップＳ１３１；Ｎｏ）、大当り時における遊技動作制御を行ってから（ステップ１３２）、遊技制御プロセス処理を終了する。これに対して、大当り遊技状態を終了させる場合には（ステップＳ１３１；Ｙｅｓ）、大当り終了後の遊技状態を制御するための設定を行う（ステップＳ１３３）。
【０１４４】
一例として、ステップＳ１３３の処理では、確変確定フラグがオンであるか否かを判定し、オンである場合には、遊技制御用マイクロコンピュータ１００におけるＲＡＭ１０２の所定領域に設けられた確変フラグをオン状態にセットする。これにより、可変表示結果を「大当り」とすることに決定したときに、大当り遊技状態の終了後における遊技状態を確変状態とすることが決定された場合には、この決定結果に対応して遊技状態を確変状態に制御することができる。時短状態に制御する場合にも、これに相当する設定が行われればよい。その後、遊技プロセスフラグをクリアして、その値を“０”に初期化してから（ステップＳ１３４）、遊技制御プロセス処理を終了する。
【０１４５】
次に、演出制御基板１２における動作を説明する。演出制御基板１２では、電源基板等から電源電圧の供給を受ける。起動用の電力供給が開始された演出制御用ＣＰＵ１２０では、所定の演出制御メイン処理が実行される。演出制御メイン処理を開始すると、演出制御用ＣＰＵ１２０は、まず、所定の起動時処理を実行する。その後、タイマ割込みフラグがオンとなっているか否かの判定を行う。タイマ割込みフラグは、例えばＣＴＣのレジスタ設定に基づき、所定時間（例えば２ミリ秒）が経過するごとにオン状態にセットされる。こうしたタイマ割込みフラグをオン状態にする割込みは、演出制御用のタイマ割込みとなる。演出制御用ＣＰＵ１２０は、演出制御用のタイマ割込みが発生するまで待機する。
【０１４６】
演出制御用のタイマ割込みが発生してタイマ割込フラグがオンになったときには、これをクリアしてオフ状態にするとともに、演出制御用のタイマ割込処理を実行する。なお、演出制御用ＣＰＵ１２０は、演出制御用のタイマ割込処理の他に、コマンド受信用の割込処理を実行可能であり、主基板１１から中継基板１５を介して伝送される演出制御コマンドを受信できればよい。演出制御用のタイマ割込処理において、演出制御用ＣＰＵ１２０は、コマンド解析処理を実行する。コマンド解析処理では、演出制御コマンドの受信があったか否かの判定が行われ、受信があった場合には受信コマンドに対応した設定や制御などが行われる。コマンド解析処理を実行した後には、演出制御プロセス処理を実行する。演出制御プロセス処理では、例えばメイン画像表示装置５ＭＡやサブ画像表示装置５ＳＵの画面上における演出画像の表示動作、発光体ユニット７１〜７４のそれぞれに整列配置された複数の発光体における点灯動作、スピーカ８Ｌ、８Ｒからの音声出力動作、発光体ユニット７１〜７４とは異なる遊技効果ランプ９および装飾用ＬＥＤといった各種発光部材における点灯動作、演出用模型の駆動動作といった、各種の演出装置を用いた動作制御内容について、主基板１１から送信された演出制御コマンド等に応じた判定や決定、設定などが行われる。演出制御プロセス処理に続いて、演出用乱数更新処理が実行され、演出制御に用いる各種の乱数値としてカウントされる演出用乱数を示す数値データを、ソフトウェアにより更新する。
【０１４７】
図１５は、演出制御プロセス処理の一例を示すフローチャートである。図１５に示す演出制御プロセス処理において、演出制御用ＣＰＵ１２０は、ＲＡＭ１２２の所定領域などに記憶された演出プロセスフラグの値を判定し、演出制御用のコンピュータプログラムに予め記述された複数の処理から、判定値に応じた処理を選択して実行する。演出プロセスフラグの判定値に応じて実行される処理には、ステップＳ１７０〜Ｓ１７６の処理が含まれている。
【０１４８】
ステップＳ１７０の可変表示開始待ち処理は、演出プロセスフラグの値が“０”のときに実行される処理である。この可変表示開始待ち処理は、主基板１１から伝送される第１変動開始コマンドあるいは第２変動開始コマンドなどを受信したか否かに基づき、メイン画像表示装置５ＭＡの画面上における飾り図柄の可変表示を開始するか否かを判定する処理などを含んでいる。第１変動開始コマンドは、第１特別図柄表示装置４Ａによる第１特図を用いた特図ゲームが開始されることを通知する演出制御コマンドである。第２変動開始コマンドは、第２特別図柄表示装置４Ｂによる第２特図を用いた特図ゲームが開始されることを通知する演出制御コマンドである。このような第１変動開始コマンドまたは第２変動開始コマンドのいずれかを受信したときには、演出プロセスフラグの値が“１”に更新される。
【０１４９】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、メイン画像表示装置５ＭＡの画面上における飾り図柄の可変表示や、その他の各種演出動作を行うために、特別図柄の変動パターンや表示結果の種類などに応じた確定飾り図柄や各種の演出制御パターンを決定する処理などを含んでいる。可変表示開始設定処理が実行されたときには、演出プロセスフラグの値が“２”に更新される。
【０１５０】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域（演出制御タイマ設定部など）に設けられた演出制御プロセスタイマにおけるタイマ値に対応して、演出制御パターンから各種の制御データを読み出し、飾り図柄の可変表示中における各種の演出制御を行うための処理が含まれている。また、可変表示中演出処理には、主基板１１から伝送される図柄確定コマンドを受信したことなどに対応して、飾り図柄の可変表示結果となる最終停止図柄としての確定飾り図柄を完全停止表示（導出表示）させる処理が含まれている。なお、所定の演出制御パターンから終了コードが読み出されたことに対応して、確定飾り図柄を完全停止表示（導出表示）させるようにしてもよい。この場合には、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。こうした演出制御などを行った後に、演出プロセスフラグの値が“３”に更新される。
【０１５１】
ステップＳ１７３の可変表示停止処理は、演出プロセスフラグの値が“３”のときに実行される処理である。可変表示停止処理は、可変表示結果通知コマンドにより通知された可変表示結果や、主基板１１から伝送された大当り開始指定コマンドを受信したか否かの判定結果などに基づいて、大当り遊技状態が開始されるか否かを判定する処理を含んでいる。そして、可変表示結果が「大当り」に対応して大当り遊技状態が開始される場合には、演出プロセスフラグの値が“４”に更新される一方で、可変表示結果が「ハズレ」に対応して大当り遊技状態が開始されない場合には、演出プロセスフラグがクリアされて、その値が“０”に初期化される。
【０１５２】
ステップＳ１７４の大当り表示処理は、演出プロセスフラグの値が“４”のときに実行される処理である。この大当り表示処理は、主基板１１から伝送された大当り開始指定コマンドを受信したことなどに基づいて、大当り遊技状態の開始を報知する大当り報知演出（ファンファーレ演出）を実行するための処理を含んでいる。そして、大当り報知演出の実行が終了するときには、演出プロセスフラグの値が“５”に更新される。
【０１５３】
ステップＳ１７５の大当り中演出処理は、演出プロセスフラグの値が“５”のときに実行される処理である。この大当り中演出処理において、演出制御用ＣＰＵ１２０は、例えば大当り遊技状態であるときに実行される大当り中演出における演出内容に対応した演出制御パターン等を設定し、その設定内容に基づく演出画像をメイン画像表示装置５ＭＡやサブ画像表示装置５ＳＵの画面上に表示させたり、発光体ユニット７１〜７４による表示演出を実行させたりすること、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させること、その他の演出制御を実行して、大当り遊技状態に対応した大当り中演出を実行可能にする。大当り中演出処理では、例えば主基板１１から伝送される大当り終了指定コマンドを受信したことなどに対応して、演出制御プロセスフラグの値が“６”に更新される。
【０１５４】
ステップＳ１７６の大当り終了演出処理は、演出プロセスフラグの値が“６”のときに実行される処理である。この大当り終了演出処理において、演出制御用ＣＰＵ１２０は、例えば大当り遊技状態が終了するときに実行される大当り終了演出（エンディング演出）における演出内容に対応した演出制御パターン等を設定し、その設定内容に基づく演出画像の表示や果音の出力、各種発光部材の点灯／消灯／点滅、その他の演出動作を制御して、大当り遊技状態の終了に対応した大当り終了演出を実行可能にする。その後、演出プロセスフラグをクリアして、その値を“０”に初期化する。
【０１５５】
図１６は、図１５のステップＳ１７１にて実行される可変表示開始設定処理の一例を示すフローチャートである。図１６に示す可変表示開始設定処理において、演出制御用ＣＰＵ１２０は、まず、飾り図柄の可変表示結果としての確定飾り図柄となる最終停止図柄などを決定する（ステップＳ４０１）。ステップＳ４０１の処理として、演出制御用ＣＰＵ１２０は、主基板１１から伝送された変動パターン指定コマンドで示された変動パターンや、可変表示結果通知コマンドで示された可変表示結果といった、可変表示内容に基づいて、最終停止図柄を決定する。一例として、変動パターンや可変表示結果の組合せに応じた可変表示内容には、「非リーチ（ハズレ）」、「リーチ（ハズレ）」、「非確変（大当り）」、「確変（大当り）」がある。
【０１５６】
可変表示内容が「非リーチ（ハズレ）」の場合には、飾り図柄の可変表示状態がリーチ状態にはならずに、非リーチ組合せの確定飾り図柄が停止表示されて、可変表示結果が「ハズレ」となる。可変表示内容が「リーチ（ハズレ）」の場合には、飾り図柄の可変表示状態がリーチ状態となった後に、リーチハズレ組合せの確定飾り図柄が停止表示されて、可変表示結果が「ハズレ」となる。可変表示内容が「非確変（大当り）」の場合には、可変表示結果が「大当り」となり、大当り遊技状態の終了後における遊技状態が時短状態となる。可変表示内容が「確変（大当り）」の場合には、可変表示結果が「大当り」となり、大当り遊技状態の終了後における遊技状態が確変状態となる。
【０１５７】
可変表示内容が「非リーチ（ハズレ）」である場合に、演出制御用ＣＰＵ１２０は、「左」及び「右」の飾り図柄表示エリア５Ｌ、５Ｒにて異なる（不一致の）飾り図柄を最終停止図柄に決定する。演出制御用ＣＰＵ１２０は、乱数回路１２４またはＲＡＭ１２２の所定領域（演出制御カウンタ設定部など）に設けられた演出用ランダムカウンタ等により更新される左確定図柄決定用の乱数値を示す数値データを抽出し、ＲＯＭ１２１に予め記憶されて用意された左確定図柄決定テーブルを参照することなどにより、確定飾り図柄のうち「左」の飾り図柄表示エリア５Ｌに停止表示される左確定飾り図柄を決定する。次に、乱数回路１２４または演出用ランダムカウンタ等により更新される右確定図柄決定用の乱数値を示す数値データを抽出し、ＲＯＭ１２１に予め記憶されて用意された右確定図柄決定テーブルを参照することなどにより、確定飾り図柄のうち「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち「中」の飾り図柄表示エリア５Ｃに停止表示される中確定飾り図柄を決定する。
【０１５８】
可変表示内容が「リーチ（ハズレ）」である場合に、演出制御用ＣＰＵ１２０は、「左」及び「右」の飾り図柄表示エリア５Ｌ、５Ｒにて同一の（一致する）飾り図柄を最終停止図柄に決定する。演出制御用ＣＰＵ１２０は、乱数回路１２４または演出用ランダムカウンタ等により更新される左右確定図柄決定用の乱数値を示す数値データを抽出し、ＲＯＭ１２１に予め記憶されて用意された左右確定図柄決定テーブルを参照することなどにより、確定飾り図柄のうち「左」と「右」の飾り図柄表示エリア５Ｌ、５Ｒにて揃って停止表示される図柄番号が同一の飾り図柄を決定する。さらに、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０１５９】
可変表示内容が「非確変（大当り）」や「確変（大当り）」である場合に、演出制御用ＣＰＵ１２０は、「左」、「中」、「右」の飾り図柄表示エリア５Ｌ、５Ｃ、５Ｒにて同一の（一致する）飾り図柄を最終停止図柄に決定する。演出制御用ＣＰＵ１２０は、乱数回路１２４または演出用ランダムカウンタ等により更新される大当り確定図柄決定用の乱数値を示す数値データを抽出する。続いて、ＲＯＭ１２１に予め記憶されて用意された大当り確定図柄決定テーブルを参照することなどにより、「左」、「中」、「右」の飾り図柄表示エリア５Ｌ、５Ｃ、５Ｒに揃って停止表示される図柄番号が同一の飾り図柄を決定する。このときには、可変表示内容が「非確変（大当り）」と「確変（大当り）」のいずれであるかや、大当り中昇格演出が実行されるか否かなどに応じて、通常図柄（例えば偶数を示す飾り図柄）と確変図柄（例えば奇数を示す飾り図柄）のいずれを確定飾り図柄とするかが決定されればよい。大当り中昇格演出は、大当りを想起させるが確変状態を想起させないような飾り図柄の組合せ（非確変大当り組合せ）が一旦は停止表示されてから、大当り遊技状態中や大当り遊技状態の終了時に確変状態となるか否かを報知する演出である。
【０１６０】
具体的な一例として、可変表示内容が「非確変（大当り）」である場合には、複数種類の通常図柄のうちから、確定飾り図柄となるものを決定する。また、可変表示内容が「確変（大当り）」で大当り中昇格演出を実行しないと決定されたときには、複数種類の確変図柄のうちから、確定飾り図柄となるものを決定する。これに対して、可変表示内容が「確変（大当り）」であっても大当り中昇格演出を実行すると決定されたときには、複数種類の通常図柄のうちから、確定飾り図柄となるものを決定する。これにより、確定飾り図柄として確変図柄が揃って導出表示されたにもかかわらず、大当り中昇格演出が実行されてしまうことを防止して、遊技者に不信感を与えないようにすればよい。
【０１６１】
ステップＳ４０１の処理では、可変表示内容が「非確変（大当り）」または「確変（大当り）」である場合に、再抽選演出や大当り中昇格演出といった確変昇格演出を実行するか否かが決定されてもよい。再抽選演出では、飾り図柄の可変表示中に同一の通常図柄からなる非確変大当り組合せの飾り図柄が一旦表示されることによって、確変状態に制御されることを一旦は認識困難または認識不能とし、飾り図柄を再び可変表示（再変動）させて同一の確変図柄からなる確変大当り組合せの飾り図柄が停止表示されることによって確変状態に制御されることを報知できる。なお、再抽選演出にて飾り図柄を再変動させた後に非確変大当り組合せの飾り図柄が停止表示されることにより、確変状態に制御されることを報知しない場合もある。ステップＳ４０１の処理にて再抽選演出を実行すると決定された場合には、再抽選演出の実行前に仮停止表示する飾り図柄の組合せなどを決定すればよい。
【０１６２】
ステップＳ４０１における最終停止図柄などの決定に続いて、予告演出を決定する（ステップＳ４０２）。ステップＳ４０２の処理では、例えば予めＲＯＭ１２１の所定領域に記憶するなどして用意された予告演出決定テーブルを用いて、予告演出の有無や、予告演出を実行する場合の演出態様などが決定されればよい。予告演出決定テーブルでは、例えば可変表示内容に応じて、予告演出決定用の乱数値と比較される数値（決定値）が、予告演出の有無や演出態様の決定結果に、割り当てられていればよい。演出制御用ＣＰＵ１２０は、乱数回路１２４または演出用ランダムカウンタ等により更新される予告演出決定用の乱数値を示す数値データに基づいて、予告演出決定テーブルを参照することにより、予告演出の有無や演出態様を決定すればよい。
【０１６３】
ステップＳ４０２の処理に続いて、演出制御パターンを予め用意された複数パターンのいずれかに決定する（ステップＳ４０３）。例えば、演出制御用ＣＰＵ１２０は、変動パターン指定コマンドで示された変動パターンなどに対応して、複数用意された特図変動時演出制御パターンのいずれかを選択し、使用パターンとしてセットする。また、演出制御用ＣＰＵ１２０は、ステップＳ４０２の処理による予告演出の決定結果に対応して、複数用意された予告演出制御パターンのいずれかを選択し、使用パターンとしてセットする。
【０１６４】
図１７（ａ）は、演出制御パターンの構成例を示している。図１７（ａ）に示す構成例において、演出制御パターンは、例えば演出制御プロセスタイマ判定値、表示制御データ、音声制御データ、ランプ制御データ、可動部材制御データ、操作検出制御データ、終了コードなどを含んだプロセスデータから構成されている。演出制御プロセスタイマ判定値は、ＲＡＭ１２２の所定領域（演出制御タイマ設定部など）に設けられた演出制御プロセスタイマの格納値である演出制御プロセスタイマ値と比較される値（判定値）であって、各演出動作の実行時間（演出時間）に対応した判定値が予め設定されている。なお、演出制御プロセスタイマ判定値に代えて、例えば主基板１１から所定の演出制御コマンドを受信したことや、演出制御用ＣＰＵ１２０において演出動作を制御するための処理として所定の処理が実行されたことといった、所定の制御内容や処理内容に対応して、演出制御の切替タイミングなどを示すデータが設定されていてもよい。
【０１６５】
表示制御データには、例えば飾り図柄の可変表示中における各飾り図柄の変動態様を示すデータといった、メイン画像表示装置５ＭＡやサブ画像表示装置５ＳＵの表示画面における演出画像の表示態様を示すデータが含まれている。すなわち、表示制御データは、メイン画像表示装置５ＭＡやサブ画像表示装置５ＳＵの表示画面における演出画像の表示動作を指定するデータである。この実施の形態では、発光体ユニット７１〜７４を構成する複数の発光体による点灯態様を制御する点灯データの作成に用いられる表示データが、サブ画像表示装置５ＳＵの表示画面における演出画像の表示データに付加されている。したがって、表示制御データによりサブ画像表示装置５ＳＵの表示画面における演出画像の表示動作を指定すれば、発光体ユニット７１〜７４を構成するように整列配置された複数の発光体による点灯態様も指定することができる。なお、表示制御データにより発光体ユニット７１〜７４を構成する複数の発光体における点灯態様を指定するものに限定されず、表示制御データとは別個の制御データを用いて、複数の発光体における点灯態様が指定されてもよい。
【０１６６】
音声制御データには、例えば飾り図柄の可変表示中における飾り図柄の可変表示動作に連動した効果音等の出力態様を示すデータといった、スピーカ８Ｌ、８Ｒからの音声出力態様を示すデータが含まれている。すなわち、音声制御データは、スピーカ８Ｌ、８Ｒからの音声出力動作を指定するデータである。ランプ制御データには、例えば遊技効果ランプ９や装飾用ＬＥＤといった、発光体ユニット７１〜７４以外の各種発光部材における点灯動作態様を示すデータが含まれている。すなわち、ランプ制御データは、各種発光部材の点灯動作を指定するデータである。
【０１６７】
可動部材制御データには、例えば可動部材５１〜５４を回動させたり移動させたりする可動用モータ６０の駆動態様を示すデータといった、可動部材５１〜５４の動作態様を示すデータが含まれている。すなわち、可動部材制御データは、可動部材５１〜５４の回動動作や移動動作を指定するデータである。操作検出制御データには、例えばスティックコントローラ３１Ａの操作桿に対する指示操作（傾倒操作）とトリガボタンに対する指示操作（押引操作）とを有効に検出する操作有効期間、あるいはプッシュボタン３１Ｂに対する指示操作（押下操作）を有効に検出する操作有効期間や、各々の操作を有効に検出した場合における演出動作の制御内容等を指定するデータといった、遊技者の操作行為に応じた演出動作態様を示すデータが含まれている。
【０１６８】
なお、これらの制御データは、全ての演出制御パターンに含まれなければならないものではなく、各演出制御パターンによる演出動作の内容に応じて、一部の制御データを含んで構成される演出制御パターンがあってもよい。また、演出制御パターンに含まれる複数種類のプロセスデータでは、各タイミングで実行される演出動作の内容に応じて、それぞれのプロセスデータを構成する制御データの種類が異なっていてもよい。すなわち、表示制御データや音声制御データ、ランプ制御データ、可動部材制御データ、操作検出制御データの全部を含んで構成されたプロセスデータもあれば、これらの一部を含んで構成されたプロセスデータもあってよい。さらに、例えば演出用模型が備える可動部材における動作態様を示す演出用模型制御データといった、その他の各種制御データが含まれることがあってもよい。
【０１６９】
図１７（ｂ）は、演出制御パターンの内容に従って実行される各種の演出動作を示している。演出制御用ＣＰＵ１２０は、演出制御パターンに含まれる各種の制御データに従って、演出動作の制御内容を決定する。例えば、演出制御プロセスタイマ値が演出制御プロセスタイマ判定値のいずれかと合致したときには、その演出制御プロセスタイマ判定値と対応付けられた表示制御データにより指定される態様で飾り図柄を表示させるとともに、キャラクタ画像や背景画像といった演出画像をメイン画像表示装置５ＭＡやサブ画像表示装置５ＳＵの画面上に表示させる制御を行う。この実施の形態では、表示制御データにより指定される態様で発光体ユニット７１〜７４に整列配置された複数の発光体を点灯させて表示演出を実行する制御を行う。また、音声制御データにより指定される態様でスピーカ８Ｌ、８Ｒから音声を出力させる制御を行うとともに、ランプ制御データにより指定される態様で遊技効果ランプ９等の各種発光部材を点滅させる制御を行い、操作検出制御データにより指定される操作有効期間にてスティックコントローラ３１Ａのトリガボタンや操作桿あるいはプッシュボタン３１Ｂに対する操作を受け付けて演出内容を決定する制御を行う。なお、演出制御プロセスタイマ判定値と対応していても制御対象にならない演出用部品に対応するデータには、ダミーデータ（制御を指定しないデータ）が設定されてもよい。
【０１７０】
演出制御用ＣＰＵ１２０は、例えば飾り図柄の可変表示を開始するときなどに、変動パターン指定コマンドに示された変動パターンなどに基づいて演出制御パターンをセットする。ここで、演出制御パターンをセットする際には、該当する演出制御パターンを構成するパターンデータを、ＲＯＭ１２１から読み出してＲＡＭ１２２の所定領域に一時記憶させてもよいし、該当する演出制御パターンを構成するパターンデータのＲＯＭ１２１における記憶アドレスを、ＲＡＭ１２２の所定領域に一時記憶させて、ＲＯＭ１２１における記憶データの読出位置を指定するだけでもよい。その後、演出制御プロセスタイマ値が更新されるごとに、演出制御プロセスタイマ判定値のいずれかと合致したか否かの判定を行い、合致した場合には、対応する各種の制御データに応じた演出動作の制御を行う。こうして、演出制御用ＣＰＵ１２０は、演出制御パターンに含まれるプロセスデータ＃１〜プロセスデータ＃ｎ（ｎは任意の整数）の内容に従って、演出装置（メイン画像表示装置５ＭＡ、サブ画像表示装置５ＳＵ、発光体ユニット７１〜７４、スピーカ８Ｌ、８Ｒ、遊技効果ランプ９を含む各種発光部材、可動部材５１〜５４など）の制御を進行させる。なお、各プロセスデータ＃１〜プロセスデータ＃ｎにおいて、演出制御プロセスタイマ判定値＃１〜＃ｎと対応付けられた表示制御データ＃１〜表示制御データ＃ｎ、音声制御データ＃１〜音声制御データ＃ｎ、ランプ制御データ＃１〜ランプ制御データ＃ｎ、可動部材制御データ＃１〜可動部材制御データ＃ｎ、操作検出制御データ＃１〜操作検出制御データ＃ｎは、演出装置における演出動作の制御内容を示し、演出制御の実行を指定する演出制御実行データ＃１〜演出制御実行データ＃ｎを構成する。
【０１７１】
こうしてセットした演出制御パターンに従った指令が、演出制御用ＣＰＵ１２０から表示制御部１２３や音声制御基板１３などに対して出力される。演出制御用ＣＰＵ１２０からの指令を受けた表示制御部１２３では、例えばＶＤＰ１３０がその指令に示される画像データ（画像要素データ）を画像データメモリ１３１から読み出してＶＲＡＭ１３２Ａに一時記憶させる。また、ＶＤＰ１３０は、ＶＲＡＭ１３２Ａに記憶されている画像データから、メイン画像表示装置５ＭＡやサブ画像表示装置５ＳＵの表示画面に応じた画像データを選択し、選択した画像データをピクセルデータに変換するなどしてフレームバッファ１３２Ｂの所定位置（画像表示装置５の表示領域における表示位置を示す情報等によって示される位置）に配置する。これにより、フレームバッファ１３２Ｂに１画面分の表示データを作成する。このとき、サブ画像表示装置５ＳＵの表示画面における演出画像の表示データには、発光体ユニット７１〜７４の点灯データを作成するために使用される表示データが付加される。その他、演出制御用ＣＰＵ１２０からの指令を受けた音声制御基板１３では、例えば音声合成用ＩＣがその指令に示される音声データを音声データＲＯＭから読み出して音声ＲＡＭ等に一時記憶させることなどにより展開させる。
【０１７２】
図７に示すステップＳ４０３の処理を実行した後、演出制御用ＣＰＵ１２０は、例えば変動パターン指定コマンドにより指定された変動パターンに対応して、ＲＡＭ１２２の所定領域（演出制御タイマ設定部など）に設けられた演出制御プロセスタイマの初期値を設定する（ステップＳ４０４）。そして、メイン画像表示装置５ＭＡにおける飾り図柄などの変動を開始させるための設定を行う（ステップＳ４０５）。このときには、例えばステップＳ４０４にて使用パターンとして決定された演出制御パターンに含まれる表示制御データが指定する表示制御指令を表示制御部１２３のＶＤＰ１３０に対して伝送させることなどにより、メイン画像表示装置５ＭＡの画面上に設けられた「左」、「中」、「右」の各飾り図柄表示エリア５Ｌ、５Ｃ、５Ｒにて飾り図柄の変動を開始させればよい。
【０１７３】
ステップＳ４０５の処理に続き、飾り図柄の可変表示が開始されることに対応して、始動入賞記憶表示エリア５Ｈにおける保留記憶表示を更新するための設定を行う（ステップＳ４０６）。例えば、始動入賞記憶表示エリア５Ｈにおいて保留番号が「１」に対応した表示部位を消去するとともに、全体の表示部位を１つずつ左方向に移動させればよい。その後、演出プロセスフラグの値を可変表示中演出処理に対応した値である“２”に更新してから（ステップＳ４０７）、可変表示開始設定処理を終了する。
【０１７４】
図１８は、図１５のステップＳ１７２にて実行される可変表示中演出処理の一例を示すフローチャートである。図１８に示す可変表示中演出処理において、演出制御用ＣＰＵ１２０は、まず、例えば演出制御プロセスタイマ値などに基づいて、変動パターンに対応した可変表示時間が経過したか否かを判定する（ステップＳ４５１）。一例として、ステップＳ４５１の処理では、演出制御プロセスタイマ値を更新（例えば１減算）し、更新後の演出制御プロセスタイマ値に対応して演出制御パターンから終了コードが読み出されたときなどに、可変表示時間が経過したと判定すればよい。
【０１７５】
ステップＳ４５１にて可変表示時間が経過していない場合には（ステップＳ４５１；Ｎｏ）、各種演出の実行期間であるか否かを判定する（ステップＳ４５２）。各種演出の実行期間は、例えば図１６に示すステップＳ４０３の処理にて決定された演出制御パターンにおいて、予め定められていればよい。各種演出の実行期間ではないときには（ステップＳ４５２；Ｎｏ）、可変表示中演出処理を終了する。各種演出の実行期間であるときには（ステップＳ４５２；Ｙｅｓ）、演出制御処理を実行してから（ステップＳ４５３）、可変表示中演出処理を終了する。
【０１７６】
ステップＳ４５１にて可変表示時間が経過した場合には（ステップＳ４５１；Ｙｅｓ）、主基板１１から伝送される図柄確定コマンドの受信があったか否かを判定する（ステップＳ４５４）。このとき、図柄確定コマンドの受信がなければ（ステップＳ４５４；Ｎｏ）、可変表示中演出処理を終了して待機する。なお、可変表示時間が経過した後、図柄確定コマンドを受信することなく所定時間が経過した場合には、図柄確定コマンドを正常に受信できなかったことに対応して、所定のエラー処理が実行されるようにしてもよい。
【０１７７】
ステップＳ４５４にて図柄確定コマンドの受信があった場合には（ステップＳ４５４；Ｙｅｓ）、例えば表示制御部１２３のＶＤＰ１３０に対して所定の表示制御指令を伝送させることといった、飾り図柄の可変表示において表示結果となる最終停止図柄（確定飾り図柄）を導出表示させる制御を行う（ステップＳ４５５）。また、当り開始指定コマンド受信待ち時間として予め定められた一定時間を設定する（ステップＳ４５６）。そして、演出プロセスフラグの値を可変表示停止処理に対応した値である“３”に更新してから（ステップＳ４５７）、可変表示中演出処理を終了する。
【０１７８】
図１８に示すステップＳ４５３の演出制御処理では、図１６に示すステップＳ４０３の処理で決定された演出制御パターン（例えば特図変動時演出制御パターン、予告演出制御パターンなど）から演出制御プロセスタイマ値に基づいて読み出されたプロセスデータを用いて、各種の演出装置による演出動作を実行するための制御が行われる。例えば、演出制御用ＣＰＵ１２０は、演出制御プロセスタイマがタイムアウトしたか否かの判定を行い、タイムアウトしたらプロセスデータにおける演出制御実行データの切り替えを行う。すなわち、図１７（ａ）に示すようなプロセスデータ＃１〜プロセスデータ＃ｎにおいて、次に設定されている表示制御データに基づいて、メイン画像表示装置５ＭＡおよびサブ画像表示装置５ＳＵの表示制御と、発光体ユニット７１〜７４に整列配置された複数の発光体の点灯制御とが行われる。また、プロセスデータ＃１〜プロセスデータ＃ｎにおいて、次に設定されている音声制御データに基づいてスピーカ８Ｌ、８Ｒの音声出力制御が行われる。さらに、プロセスデータ＃１〜プロセスデータ＃ｎにおいて、次に設定されているランプ制御データに基づいて遊技効果ランプ９や装飾ＬＥＤの点灯制御が行われる。プロセスデータ＃１〜プロセスデータ＃ｎにおいて、次に設定されている可動部材制御データに基づいて可動用モータ６０の駆動制御が行われる。その他にも、プロセスデータ＃１〜プロセスデータ＃ｎにおいて、次に設定されている操作検出制御データに基づいてスティックコントローラ３１Ａやプッシュボタン３１Ｂによる指示操作の検出制御が行われる。
【０１７９】
演出制御用ＣＰＵ１２０は、メイン画像表示装置５ＭＡおよびサブ画像表示装置５ＳＵの表示制御と、発光体ユニット７１〜７４のそれぞれに整列配置された複数の発光体の点灯制御を行うために、表示制御部１２３のＶＤＰ１３０に対して各種の表示制御指令を送信する。演出制御用ＣＰＵ１２０がＶＤＰ１３０に対して送信する表示制御指令には、例えば転送指令、展開指令、出力指令が含まれていればよい。
【０１８０】
転送指令は、画像データメモリ１３１に記憶されている複数種類の画像データ（画像要素データ）から、メイン画像表示装置５ＭＡやサブ画像表示装置５ＳＵでの画面表示に用いられる画像データと、発光体ユニット７１〜７４を点灯制御する点灯データの作成に用いられる画像データとを読み出して、ＶＲＡＭ１３２Ａに一時記憶させることを示す。例えば、転送指令は、画像データメモリ１３１における画像データの読出位置や、画像データを展開記憶させた場合の画像サイズなどを、ＶＤＰ１３０に通知するためのデータを含んでいればよい。ここで、画像データメモリ１３１における画像データの読出位置は、画像データメモリ１３１における読出アドレスであってもよいし、読出対象となる画像データに対応する画像要素に付された特定情報（例えば画像要素データに対応するキャラクタ画像のキャラクタ番号）などといった任意の情報を用いて特定されるものでもよい。
【０１８１】
展開指令は、ＶＲＡＭ１３２Ａに一時記憶されている画像データから、メイン画像表示装置５ＭＡおよびサブ画像表示装置５ＳＵの表示領域に応じた画像データと、発光体ユニット７１〜７４のそれぞれに整列配置された複数の発光体に応じた画像データとを選択し、選択した画像データに基づく描画処理を実行して、表示データをフレームバッファ１３２Ｂの画像描画領域に作成することを示す。例えば、展開指令は、ＶＲＡＭ１３２Ａに一時記憶されている画像データを指定するためのデータや、フレームバッファ１３２Ｂにおける画像要素の配置（設定位置）を指定するためのデータを含んでいればよい。ここで、ＶＲＡＭ１３２Ａに一時記憶されている画像データを指定するためのデータは、ＶＲＡＭ１３２Ａにおける読出アドレスを指定するデータであってもよいし、選択対象となる画像データに対応する画像要素に付された特定情報などといった任意の情報を示すデータであってもよい。
【０１８２】
出力指令は、フレームバッファ１３２Ｂの画像描画領域と画像表示領域とを切り替え、画像表示領域となった記憶領域に格納されている表示データをメイン表示出力系統やサブ表示出力系統に供給して、メイン画像表示装置５ＭＡやサブ画像表示装置５ＳＵおよび発光体ユニット７１〜７４の側に出力することを示す。ＶＤＰ１３０は、出力指令を受信するごとに、フレームバッファ１３２Ｂから読み出した１画面分の表示データを出力するとともに、垂直同期信号を供給して、垂直同期信号と同じ周期でＶブランク割込みを発生させてもよい。この場合、演出制御用ＣＰＵ１２０は、ＶＤＰ１３０からのＶブランク割込みの発生に同期して、描画に関わる処理を実行すればよい。
【０１８３】
演出制御用ＣＰＵ１２０は、転送指令や展開指令、出力指令の他にも、各種の表示制御指令を表示制御部１２３のＶＤＰ１３０に対して送信できればよい。例えば、表示データを出力するために設定されたフレームバッファ１３２Ｂの画像表示領域における記憶内容をＶＲＡＭ１３２Ａに複写することを示す複写指令や、フレームバッファ１３２Ｂの画像描画領域における内容とエフェクト用画像に応じた画像データとの間で演算（例えば加算や減算、半透明化処理を実現するための演算など）を行うことを示す描画指令などが、演出制御用ＣＰＵ１２０から表示制御部１２３のＶＤＰ１３０に対して送信されてもよい。
【０１８４】
図１９は、表示制御部１２３のＶＤＰ１３０によって実行される画像データ処理の一例を示すフローチャートである。図１９に示す画像データ処理において、ＶＤＰ１３０は、演出制御用ＣＰＵ１２０から伝送された表示制御指令が転送指令であるか否かを判定する（ステップＳ７０１）。そして、転送指令である場合には（ステップＳ７０１；Ｙｅｓ）、画像データメモリ１３１から読み出した画像データをＶＲＡＭ１３２Ａに書き込んで一時記憶させる（ステップＳ７０２）。
【０１８５】
ステップＳ７０１にて転送指令ではない場合や（ステップＳ７０１；Ｎｏ）、ステップＳ７０２の処理を実行した後には、演出制御用ＣＰＵ１２０から伝送された表示制御指令が展開指令であるか否かを判定する（ステップＳ７０３）。そして、展開指令である場合には（ステップＳ７０３；Ｙｅｓ）、ＶＲＡＭ１３２Ａにおける指定された記憶領域の画像データを選択してフレームバッファ１３２Ｂの画像描画領域に書き込む（ステップＳ７０４）。こうしてフレームバッファ１３２Ｂの画像描画領域に選択された画像データが書き込まれることなどにより、演出画像の表示や点灯データの生成に用いられる表示データが作成される。ＶＲＡＭ１３２Ａに一時記憶されている画像データを選択するときには、１の画像要素に対応する画像データ（画像要素データ）のうち、一部の画像データだけを抽出（クリッピング）してフレームバッファ１３２Ｂに書き込むようにしてもよい。
【０１８６】
ステップＳ７０３にて展開指令ではない場合や（ステップＳ７０３；Ｎｏ）、ステップＳ７０４の処理を実行した後には、演出制御用ＣＰＵ１２０から伝送された表示制御指令が出力指令であるか否かを判定する（ステップＳ７０５）。このとき、出力指令ではない場合には（ステップＳ７０５；Ｎｏ）、画像データ処理を終了する。一方、出力指令である場合には（ステップＳ７０５；Ｙｅｓ）、フレームバッファ１３２Ｂにおける画像描画領域と画像表示領域とを切り替えて、切替後の画像表示領域から表示データを読み出し、メインＬＣＤ駆動回路１３３Ａを含むメイン表示出力系統、またはサブＬＣＤ駆動回路１３３Ｂと発光体制御回路１３４とを含むサブ表示出力系統に、読み出された表示データを出力する（ステップＳ７０６）。
【０１８７】
このような画像データ処理を実行することにより、ＶＤＰ１３０は、演出制御用ＣＰＵ１２０からの表示制御指令に基づいて、演出画像の表示に必要なキャラクタ画像データといった各種の画像データを画像データメモリ１３１から読み出して、ＶＲＡＭ１３２Ａの所定領域に配置する。演出画像を表示するときには、何度も同じキャラクタ画像が繰返し表示されることがある。画像データメモリ１３１に記憶されている画像データが圧縮されている場合には、これを読み出した後に伸長するための時間を要する。そこで、演出画像の表示を開始する段階で、必要なキャラクタ画像データなどをＶＲＡＭ１３２Ａの記憶領域に配置することで、各フレームに対応して画像データメモリ１３１から読出しを行うのに比較して、描画に要する時間を短縮することができる。
【０１８８】
演出制御用ＣＰＵ１２０は、演出画像の表示が開始された後、Ｖブランクが発生するごとに、ＶＤＰ１３０のアトリビュートレジスタにアトリビュートを設定してから、アトリビュートの読込実行を指示する。これに応じて、ＶＤＰ１３０は、アトリビュートを読み込む。この読込みが完了すると、ＶＤＰ１３０から演出制御用ＣＰＵ１２０に対して読込終了割込信号が出力される。演出制御用ＣＰＵ１２０は、読込終了割込信号を受けると、描画処理の実行を指示する。こうして、ＶＤＰ１３０は、読み込んだアトリビュートに従ってフレームバッファ１３２Ｂに表示データを書き込むことによる描画処理を実行する。
【０１８９】
フレームバッファ１３２Ｂにおいて画像表示領域や画像描画領域が割り当てられる複数の記憶領域のそれぞれには、メインフレームバッファと、サブフレームバッファとが割り当てられている。メインフレームバッファには、メイン画像表示装置５ＭＡの画面上にて画像表示するための表示データが格納される。例えば、メインフレームバッファには、横方向（Ｘ軸方向）に８００ドット、縦方向（Ｙ軸方向）に６００ドットの画素データを記憶可能なメモリエリアが割り当てられる。サブフレームバッファには、サブ画像表示装置５ＳＵの画面上にて画像表示するための表示データと、発光体ユニット７１〜７４を点灯制御する点灯データの作成に用いられる表示データとが格納される。例えば、サブフレームバッファには、横方向（Ｘ軸方向）に４８０ドット、縦方向（Ｙ軸方向）に８８５ドットの画素データを記憶可能なメモリエリアが割り当てられる。
【０１９０】
図２０は、ＶＤＰ１３０の描画処理などによる表示データの作成例と出力例を示している。演出画像の表示や表示演出が実行されるときに、ＶＤＰ１３０は、スプライト画像の画像データをＶＲＡＭ１３２Ａから読み出して、メインフレームバッファとサブフレームバッファに表示データを書き込む描画処理を実行する。画像データメモリ１３１から読み出されてＶＲＡＭ１３２Ａに一時記憶されるスプライト画像の画像データのうち、発光体ユニット７１〜７４を点灯制御する点灯データの作成に用いられる画像データは、例えば図２０（ａ）に示すように、横方向（Ｘ軸方向）に３２０ドット、縦方向（Ｙ軸方向）に３２０ドットの画像サイズに対応している。
【０１９１】
ＶＤＰ１３０は、点灯データ作成用の画像データを、横方向（Ｘ軸方向）に８０ドット、縦方向（Ｙ軸方向）に８０ドットの画像サイズに縮小する。縮小された画像サイズは、複数の発光体が整列配置された発光体ユニット７１〜７４の解像度に対応している。このように、点灯データ作成用の画像データは、発光体ユニット７１〜７４の解像度よりも高い解像度を有している。こうして、スーパーサンプリングといったアンチエイリアシング処理を行い、複数の発光体による表示の解像度よりも高い解像度を有する画像データを用いて、点灯データに変換される表示データを作成する。これにより、例えばキャラクタ画像などの輪郭に発生するジャギーを抑制して、発光体ユニット７１〜７４における表示の円滑性を高めることができる。特に、キャラクタ画像などの演出画像を移動表示させるときには、輪郭部分を円滑に表示して、発光体ユニット７１〜７４における表示演出の興趣を向上させることができる。なお、画像サイズの縮小は、ＶＤＰ１３０による画像データの変形処理や表示データの描画処理において行われてもよいし、所定のスケーラ回路を用いて行われてもよい。スケーラ回路は、フレームバッファ１３２Ｂから読み出した表示データの画素数を変換することで、所定の縮小率（例えば１／４）で画像サイズを縮小できればよい。このように、表示データのサイズ変更は、ハードウェア回路によって実現されてもよいし、ソフトウェアとしての所定プログラムを実行することで実現されてもよい。
【０１９２】
ＶＤＰ１３０は、発光体ユニット７１〜７４のそれぞれにて複数の発光体が配置された領域を複数の発光体ブロックに分割したことによる各発光体のブロック割当設定に応じて、表示データの一部移動といった変形処理を行う。例えば図２０（ｂ）に示すように、１の発光体ブロックに満たない発光体が配置された余り領域に含まれる発光体が、いずれかの発光体ブロックにおける空き領域に含められることに対応して、表示データの一部（図２０（ｂ）に示す例では「Ａ」を示す画像の上端部分）を切り取り、他の画像位置に移動させる。高機能な描画処理を実行可能なＶＤＰ１３０を用いて表示データの変形処理を実行することにより、発光体制御回路１３４における点灯データの処理負担を軽減することができる。
【０１９３】
フレームバッファ１３２Ｂに割り当てられたサブフレームバッファには、例えば図２０（ｃ）に示すような表示データが格納される。この表示データは、サブ画像表示用のデータと、発光体制御用のデータとを含み、１フレーム分の画像表示に対応している。サブ画像表示用のデータは、横方向（Ｘ軸方向）に４８０ドット、縦方向（Ｙ軸方向）に８００ドットの画像サイズ（サブ画像表示装置５ＳＵの解像度と同一）に対応して、サブ画像表示装置５ＳＵの画面上における画像表示に用いられる。発光体制御用のデータは、横方向（Ｘ軸方向）に８０ドット、縦方向（Ｙ軸方向）に８０ドットの画像サイズに対応して、発光体ユニット７１〜７４を点灯制御する点灯データの作成に用いられる。
【０１９４】
サブフレームバッファに格納される表示データにおいて、サブ画像表示用のデータと、発光体制御用のデータとの間には、例えば５ドットといった、所定のライン数に相当する境界データが設けられている。こうした所定データ量の境界データを設定して、サブ画像表示用のデータと発光体制御用のデータとを離間する。これにより、サブ画像表示装置５ＳＵの画面上に表示される演出画像の表示データと、発光体ユニット７１〜７４を点灯制御する点灯データに変換される表示データとを、容易に分離可能として、点灯データの生成に伴う処理負担を軽減させることができる。
【０１９５】
ＶＤＰ１３０は、こうしてサブフレームバッファに格納された表示データを、所定順序で読み出してサブ表示出力系統へと出力する。一例として、図２０（ｃ）における左上端のドットから水平方向に右上端のドットまで読み出し、続いて１ドット下のデータを同様に読み出す読出動作を、右下端のドットに達するまで繰り返す。こうして表示データを読み出した順にサブ表示出力系統へと出力することで、例えば図２０（ｄ）に示すように、まずは所定の第１表示出力期間にてサブ画像表示用のデータが出力され、続いて第１表示出力期間より後の第２表示出力期間にて発光体制御用のデータが出力される。サブ画像表示用のデータと発光体制御用のデータとの間には境界データが設定されているので、サブ画像表示用のデータが出力される第１表示出力期間と、発光体制御用のデータが出力される第２表示出力期間との間に、所定のインターバル期間が設けられる。
【０１９６】
サブフレームバッファに格納された表示データは、例えば１フレーム分が１／６０秒（約１６．７ミリ秒）で出力される。これにより、サブ画像表示装置５ＳＵは、１／６０秒のフレーム周期で表示画像を更新することができる。発光体制御用のデータも、サブ画像表示用のデータに付加されていることから、１／６０秒の周期で出力される。発光体制御回路１３４では、サブ表示出力系統へと出力された表示データに含まれる発光体制御用のデータを、信号分離回路１４０にて分離してバッファメモリ１４１に一時記憶させる。したがって、バッファメモリ１４１には、ＶＤＰ１３０が１フレーム分の表示データを出力する１／６０秒の周期で、表示データのうちから分離された発光体制御用のデータが格納される。
【０１９７】
図２０（ｄ）に示すように、サブフレームバッファに格納された表示データが出力される期間のうちで、発光体制御用のデータが出力される期間（第２表示出力期間）は、１フレーム分の表示データが出力される全期間（１／６０秒間）よりも十分に短くなる。点灯データ生成回路１４２は、バッファメモリ１４１に格納されたデータを、例えばサブ画面表示用のデータが出力される期間（第１表示出力期間）といった、バッファメモリ１４１に対するデータ書込みが行われない残余期間にて読み出し、点灯データへの変換を行うようにすればよい。
【０１９８】
点灯データ生成回路１４２は、例えばサブ画像表示装置５ＳＵといった、ＬＣＤ（液晶表示装置）を用いた画像表示装置のフレーム周期（１／６０秒など）よりも、短い周期で複数の発光体を点灯制御するための点灯データを生成する。具体的な一例として、点灯データ生成回路１４２は、１／１２０秒（約８．３ミリ秒）の周期で発光体を点灯制御するための点灯データを生成する。このように、点灯データ生成回路１３０は、ＶＤＰ１３０による表示データの出力周期（１／６０秒）よりも短い周期（１／１２０秒）で発光体の点灯データを生成して、シリアル出力回路１４３により点灯データに基づく制御信号を出力させる。この場合、バッファメモリ１４１は、ＶＤＰ１３０から出力される１フレーム分の画像表示に対応した表示データに含まれる発光制御用のデータ、すなわち、８０ドット×８０ドットの発光体制御用のデータを、格納できる記憶データ容量を有していればよい。また、比較的に短い周期で発光体を点灯させることで、発光体ユニット７１〜７４のそれぞれに整列配置された複数の発光体で実行される表示演出におけるフリッカー（ちらつき）を抑制して、表示演出の興趣を向上させることができる。発光体の点灯制御は、表示データの出力周期に対して１／２の周期で行われるものに限定されず、例えば、より短い周期（例えば１／３の周期など）といった、表示データの出力周期よりも短い任意の周期で行われるものであればよい。
【０１９９】
シリアル出力回路１４３は、１フレーム分の画像表示に対応した表示データに含まれる発光制御用のデータがバッファメモリ１４１に書き込まれる所要時間よりも長い周期で、点灯データ生成回路１４２によって生成された点灯データに対応する制御信号の出力を行うように設定されてもよい。このように、点灯データに対応する制御信号が出力される周期よりも短い時間で、１フレーム分に対応する発光制御用のデータをバッファメモリ１４１に一時記憶させる。これにより、１フレーム分に対応する発光制御用のデータを一時記憶できる記憶データ容量のバッファメモリ１４１を使用した場合でも、点灯データに対応する制御信号の出力周期よりも短い時間で、点灯データの生成を完了させることができる。
【０２００】
なお、バッファメモリ１４１は、例えば２フレーム分の画像表示に対応した表示データといった、複数フレーム分の画像表示に対応した表示データに含まれる発光制御用のデータを、格納できる記憶データ容量を有していてもよい。この場合、バッファメモリ１４１の記憶領域には、複数のバッファ領域が割り当てられる。各バッファ領域は、１フレーム分の画像表示に対応した表示データに含まれる発光制御用のデータを、格納できる記憶データ容量を有していればよい。
【０２０１】
そして、点灯データ生成回路１４２は、複数のバッファ領域のうち、１のバッファ領域にてデータ書込みが行われているときに、他のバッファ領域に格納されているデータを読み出し、点灯データへの変換を行うようにしてもよい。具体的な一例として、バッファメモリ１４１が、２フレーム分の画像表示に対応した表示データに含まれる発光制御用のデータを格納できる記憶データ容量を有しているものとする。この場合、バッファメモリ１４１の記憶領域を２つの領域に分割し、それぞれ第１バッファ領域と第２バッファ領域に割り当てる。そして、ＶＤＰ１３０から複数フレームのうちの第１フレームに対応する表示データが出力されている第１フレーム期間では、信号分離回路１４０にて分離された発光制御用のデータを、第１バッファ領域に書き込んで一時記憶させる。次に、第１フレームに続く第２フレームに対応する表示データが出力される第２フレーム期間では、信号分離回路１４０にて分離された発光制御用のデータを、第２バッファ領域に書き込んで一時記憶させる。この第２フレーム期間において、点灯データ生成回路１４２は、第１期間にてデータ書込みが完了した第１バッファ領域に格納されているデータを読み出し、点灯データへの変換を行う。さらに次のフレーム期間では、第１バッファ領域と第２バッファ領域とを切り替えて、データの書込みと、読出データを用いた点灯データの生成（変換）とが行われるようにすればよい。このように、バッファメモリ１４２は、ダブルバッファ方式で発光制御用のデータを一時記憶して、点灯データへの変換を可能にするものであってもよい。ただし、この場合にはバッファメモリ１４２の記憶データ容量が増加することに伴い、製造コストも増加するという問題が生じる。一方、発光体制御用のデータが出力される期間を表示データの全出力期間よりも十分に短い時間に設定するとともに、点灯データ生成回路１４２がＶＤＰ１３０による表示データの出力周期よりも短い周期で発光体の点灯データを生成する場合には、バッファメモリ１４１の記憶データ容量を低減して、製造コストの増加を防止することができる。
【０２０２】
点灯データ生成回路１４２は、表示データから分離された発光制御用のデータを記憶しているバッファメモリ１４１の記憶位置（読出アドレスなど）に応じて、そのデータを複数のデータ範囲に区分けする。例えば、バッファメモリ１４１の記憶領域は、その記憶アドレスなどに応じて、複数のバッファメモリエリアに分割される。点灯データ生成回路１４２は、いずれのバッファメモリエリアに格納されているデータを読み出したかに基づいて、複数の発光体ブロックＢ０１〜Ｂ４２のうち、いずれの発光体ブロックに含まれる発光体の点灯データに変換するかを特定する。
【０２０３】
図２１は、バッファメモリエリアの設定例を示している。図２１に示す設定例では、バッファメモリ１４１の記憶領域を、横方向（Ｘ軸方向）にエリアインデックスＢＸ０〜ＢＸ７が付与された８つのエリアと、縦方向（Ｙ軸方向）にエリアインデックスＢＹ０〜ＢＹ７が付与された８つのエリアとに、区分けしている。点灯データ生成回路１４２は、バッファメモリ１４１の読出アドレスなどに基づいて、横方向のエリアインデックスＢＸ０〜ＢＸ７と、縦方向のエリアインデックスＢＹ０〜ＢＹ７を、１つずつ組み合わせたエリア指定情報（ＢＸｉ，ＢＹｊ）として、バッファメモリ１４１の記憶データがいずれのデータ範囲に属するかを特定できればよい。なお、エリア指定情報（ＢＸｉ,ＢＹｊ）における添字ｉ、ｊは、「０」〜「７」のいずれかであることを示している。
【０２０４】
バッファメモリ１４１に一時記憶された表示データは、複数に区分けされたデータ範囲ごとに、発光体ブロックＢ０１〜Ｂ４２のいずれかに割り当てられる。点灯データ生成回路１４２は、予め用意された変換設定情報となるアドレス特定テーブルを参照することで、各発光体ブロックＢ０１〜Ｂ４２に割り当てられたデータ範囲を特定することができる。この特定結果に基づいて、各発光体ブロックＢ０１〜Ｂ４２に対応して設けられた発光体ドライバのアドレス情報を指定することができる。アドレス特定テーブルは、点灯データ生成回路１４２に内蔵または外付されたＲＯＭの所定領域などに、予め記憶されていればよい。
【０２０５】
図２２は、点灯データ生成回路１４２によって参照されるアドレス特定テーブルＴＡ１の構成例を示している。アドレス特定テーブルＴＡ１では、各シリアル出力系統Ｋ０１〜Ｋ２１に割り当てられた発光体ブロックＢ０１〜Ｂ４２ごとに、１のエリア指定情報または２のエリア指定情報で特定されるバッファメモリエリアが割り当てられている。例えば図２２に示された発光体ブロックＢ０１〜Ｂ１２のうち、発光体ブロックＢ０１〜Ｂ０８は、デジット上側の発光体ドライバを備える一方、デジット下側の発光体ドライバを備えておらず、１つのハーフブロックのみで構成されている。これに対して、図２２に示された発光体ブロックＢ０１〜Ｂ１２のうち、発光体ブロックＢ０９〜Ｂ１２は、デジット上側およびデジット下側の発光体ドライバの双方を備えており、２つのハーフブロックの組合せで構成されている。このような発光体ブロックの構成に対応して、発光体ブロックＢ０１〜Ｂ０８のそれぞれには、１のエリア指定情報で特定される１つのバッファメモリエリアが割り当てられている。１のエリア指定情報は、横方向（Ｘ軸方向）のエリアインデックスＢＸ０〜ＢＸ７と、縦方向（Ｙ軸方向）のエリアインデックスＢＹ０〜ＢＹ７とを、それぞれ１種類ずつ組み合わせて構成される。一方、発光体ブロックＢ０９〜Ｂ１２のそれぞれには、２のエリア指定情報で特定される２つのバッファメモリエリアが割り当てられている。２のエリア指定情報は、例えば横方向のエリアインデックスＢＸ０〜ＢＸ７が１種類と、縦方向のエリアインデックスＢＹ０〜ＢＹ７が２種類とを、組み合わせて構成される。
【０２０６】
アドレス特定テーブルＴＡ１では、各発光体ブロックに対応して設けられたストローブ側の発光体ドライバやデジット側の発光体ドライバに対して、シリアル出力系統ごとに一意に定められた発光体ドライバアドレスが割り当てられている。一例として、シリアル出力系統Ｋ０１に割り当てられた発光体ブロックＢ０１、Ｂ０２のうち、一方の発光体ブロックＢ０１に対応するストローブ側の発光体ドライバには発光体ドライバアドレスＡＤ１が割り当てられ、デジット上側の発光体ドライバには発光体ドライバアドレスＡＤ２が割り当てられている。また、シリアル出力系統Ｋ０１に割り当てられた発光体ブロックＢ０１、Ｂ０２のうち、他方の発光体ブロックＢ０２に対応するストローブ側の発光体ドライバには発光体ドライバアドレスＡＤ４が割り当てられ、デジット上側の発光体ドライバには発光体ドライバアドレスＡＤ５が割り当てられている。他の一例として、シリアル出力系統Ｋ０５に割り当てられた発光体ブロックＢ０９、Ｂ１０のうち、一方の発光体ブロックＢ０９に対応するストローブ側の発光体ドライバには発光体ドライバアドレスＡＤ１が割り当てられ、デジット上側の発光体ドライバには発光体ドライバアドレスＡＤ２が割り当てられ、デジット下側の発光体ドライバには発光体ドライバアドレスＡＤ３が割り当てられている。また、シリアル出力系統Ｋ０５に割り当てられた発光体ブロックＢ０９、Ｂ１０のうち、他方の発光体ブロックＢ１０に対応するストローブ側の発光体ドライバには発光体ドライバアドレスＡＤ４が割り当てられ、デジット上側の発光体ドライバには発光体ドライバアドレスＡＤ５が割り当てられ、デジット下側の発光体ドライバには発光体ドライバアドレスＡＤ６が割り当てられている。
【０２０７】
発光体ブロックＢ０１〜Ｂ４２のそれぞれに対応して、ストローブ側の発光体ドライバが１つずつ設けられている。したがって、ストローブ側の発光体ドライバに対しては、複数の発光体ブロックＢ０１〜Ｂ４２にかかわらず、各発光体ブロックに対応して１の発光体ドライバアドレスを指定するアドレス情報が割り当てられている。このように、駆動制御回路となるストローブ側の発光体ドライバに対して、複数の発光体ブロックにかかわらず同数のアドレス情報が割り当てられている。
【０２０８】
一方、デジット側の発光体ドライバは、発光体ブロックＢ０１〜Ｂ４２のそれぞれを構成するハーフブロックが１つであるか、２つであるかに応じて、１つの発光体ドライバ（デジット上側のみ）が用いられる場合もあれば、２つの発光体ドライバ（デジット上側およびデジット下側）が用いられる場合もある。したがって、デジット側の発光体ドライバに対しては、複数の発光体ブロックＢ０１〜Ｂ４２のいずれであるかに応じて、１の発光体ドライバアドレスを指定するアドレス情報または２の発光体ドライバアドレスを指定するアドレス情報が割り当てられている。このように、階調制御回路となるデジット側の発光体ドライバに対して、複数の発光体ブロックに応じた所定数のアドレス情報が割り当てられている。
【０２０９】
こうして、１の発光体ブロックに対応して設けられたストローブ側の発光体ドライバおよびデジット側の発光体ドライバのそれぞれに対して、少なくとも１の発光体ドライバアドレスを指定するアドレス情報が割り当てられている。点灯データ生成回路１４２は、アドレス情報が含まれる点灯データを生成して、シリアル出力回路１４３により発光体駆動部１４４へと出力させる。
【０２１０】
また、点灯データ生成回路１４２によって生成される点灯データには、複数の発光体のそれぞれを構成する各発光素子の階調制御量を示す階調データが含まれている。例えば、階調データは、ＰＷＭ制御におけるパルス信号の出力期間（パルス幅）を、階調制御量として示すものであればよい。点灯データ生成回路１４２は、バッファメモリ１４１から読み出された表示データにて示される各表示色のレベル（ＲＧＢ値）に基づいて、予め用意された色変換設定情報となる点灯データ生成テーブルを参照することで、階調制御量を示す階調データを生成する。点灯データ生成テーブルは、予め複数種類が用意され、所定の選択設定に基づいて、いずれかの点灯データ生成テーブルが使用テーブルとして選択される。
【０２１１】
図２３（ａ）は、点灯データ生成テーブルの選択設定例を示している。この設定例では、各発光体に含まれる発光素子の発光色ごとに、異なる点灯データ生成テーブルが選択される。例えば発光体ブロックＢ０１〜Ｂ０６の場合に、発光色がＲ（赤）に応じて点灯データ生成テーブルＴＲ０１が選択され、発光色がＧ（緑）に応じて点灯データ生成テーブルＴＧ０１が選択され、発光色がＢ（青）に応じて点灯データ生成テーブルＴＢ０１が選択される。それぞれの点灯データ生成テーブルは、ＶＤＰ１３０が作成した表示データにて示される各表示色のレベル（ＲＧＢ値）を、発光体の点灯データに含まれる階調データが示す各発光素子の階調制御量に変換するテーブルデータなどを含んで構成されていればよい。点灯データ生成回路１４２は、バッファメモリ１４１から読み出した表示データに示される各表示色のレベル（ＲＧＢ値）に基づいて、選択された点灯データ生成テーブルを参照することにより、点灯データで指定される階調制御量を決定する。
【０２１２】
こうした点灯データ生成回路１４２が点灯データを生成するために参照する点灯データ生成テーブルは、点灯データ生成回路１４２に内蔵または外付されたＲＯＭの所定領域などに、予め記憶されていればよい。表示データに示される各表示色のレベル（ＲＧＢ値）と、発光体の点灯データに含まれる階調データが示す各発光素子の階調制御量との対応関係は、各発光色に対応する発光素子の特性（例えば発光効率）やホワイトバランスなどを考慮して、予め決定されていればよい。一例として、各発光体を構成する発光素子となる発光ダイオードは、印加電圧が所定値に達すると、急激に電流量が増加する非線形特性を有している。したがって、表示データで示される各表示色のレベル（ＲＧＢ値）に比例した階調制御量に変換すると、例えば白飛びや黒潰れといった、複数の発光体による表示演出の不都合が生じてしまうおそれがある。そこで、複数の発光体のそれぞれを構成する各発光色に対応した発光素子が、表示データで示される各表示色のレベル（ＲＧＢ値）と同等の発光量となるように、表示データから点灯データに変換するときの設定情報を、点灯データ生成テーブルとして予め記憶しておく。また、発光素子の特性は、発光色に応じて異なることがある。そこで、発光体を構成する各発光素子の発光色に応じて、表示データで示される各表示色のレベル（ＲＧＢ値）との対応関係が異なる階調制御量に変換されるように、表示データから点灯データに変換するときの設定情報を、点灯データ生成テーブルとして予め記憶しておく。
【０２１３】
図２３（ａ）に示す設定例では、発光体ブロックに応じて、異なる点灯データ生成テーブルが選択されることがある。例えば発光体ブロックＢ０１〜Ｂ０６の場合には、発光色に応じて点灯データ生成テーブルＴＲ０１、ＴＧ０１、ＴＢ０１のそれぞれが選択される。一方、発光体ブロックＢ０７、Ｂ０８、Ｂ１５の場合には、発光色に応じて点灯データ生成テーブルＴＲ０２、ＴＧ０２、ＴＢ０２のそれぞれが選択される。
【０２１４】
このように、各発光体ブロックに対応する複数の発光体それぞれの配置に応じて異なる点灯データ生成テーブルを用いて、表示データを点灯データに変換する。発光体ユニット７１〜７４のそれぞれでは、複数の発光体が整列配置された領域の広さや、各発光体ユニットの前後関係などにより、複数の発光体それぞれの配置に応じて、同一階調で発光させても遊技者には異なる印象を与える場合がある。そこで、各発光体ブロックに対応する複数の発光体それぞれの配置によらず、同一の表示色に対応して可能な限り均一に近い印象を与えられる発光量となるように、表示データから点灯データに変換するときの設定情報を、点灯データ生成テーブルとして予め記憶しておく。
【０２１５】
図２３（ｂ）は、表示データで示される各表示色の階調数と、点灯データに含まれる階調データに基づく発光体の階調制御による各発光色の階調数との比較を示している。点灯データ生成回路１４２によって生成される点灯データは、変換に用いた表示データに基づいて表示される画像の階調数よりも少ない階調数に対応している。ＶＤＰ１３０から出力されてバッファメモリ１４１に一時記憶される表示データは、Ｒ（赤）、Ｇ（緑）、Ｂ（青）の各表示色について、輝度（階調）が「０」〜「２５５」のうちいずれかのレベルとなるように、２５６段階で階調制御を可能にする。このように、ＶＤＰ１３０から出力される表示データに基づいて表示される画像の階調数は「２５６」である。点灯データ生成回路１４２によって生成される点灯データは、Ｒ（赤）、Ｇ（緑）、Ｂ（青）の各表示色について、輝度（階調）が「０」〜「６３」のうちいずれかのレベルとなるように、６４段階で階調制御を可能にする。このように、点灯データ生成回路１４２によって生成される点灯データは、「２５６」よりも少ない「６４」の階調数を示している。
【０２１６】
こうして、表示データで示される各表示色のレベル（ＲＧＢ値）だけでなく、発光体を構成する複数の発光素子ごとの発光特性や、複数の発光体の配置などに応じて、それぞれの発光体に応じた階調制御量を示す階調データが生成される。これにより、互いに異なる発光色を有する複数種類の発光素子を含んだ発光体が、発光体ユニット７１〜７４の所定領域にて整列配置されている場合でも、色の再現性を高めて演出の興趣を向上させる。点灯データ生成回路１４２は、デジット上側またはデジット下側の発光体ドライバに割り当てられたアドレス情報を付加した階調データが含まれる点灯データを生成して、シリアル出力回路１４３により発光体駆動部１４４へと出力させる。
【０２１７】
さらに、点灯データ生成回路１４２によって生成される点灯データには、複数の発光体ブロックＢ０１〜Ｂ４２ごとに、複数の発光体をダイナミック点灯制御する駆動制御データが含まれている。点灯データ生成回路１４２は、ストローブ側の発光体ドライバに割り当てられたアドレス情報を付加した駆動制御データが含まれる点灯データを生成して、シリアル出力回路１４３により発光体駆動部１４４へと出力させる。
【０２１８】
図２４は、シリアル出力回路１４３によるシリアル信号の出力動作例を示している。シリアル出力回路１４３は、シリアルクロックＳＣとして、例えば図２４（ａ）に示すように、シリアル出力系統Ｋ０１〜Ｋ２１のそれぞれに共通のクロック信号を出力する。シリアル出力回路１４３から出力されたシリアルクロックＳＣは、シリアル信号配線を介して、発光体駆動部１４４に含まれる複数の発光体ドライバのそれぞれに供給される。各発光体ドライバは、シリアルクロックＳＣに同期して伝送されたシリアルデータＳＤを受信する。
【０２１９】
一方、シリアル出力回路１４３は、シリアルデータＳＤとして、例えば図２４（ｂ）に示すように、シリアル出力系統Ｋ０１〜Ｋ２１のそれぞれに応じて異なるタイミングで、駆動制御データや階調データを含んだ制御信号を出力する。シリアル出力系統Ｋ０１〜Ｋ２１のそれぞれに対して同一のタイミングで制御信号を出力した場合には、発光体駆動部１４４に含まれる多数の発光体ドライバによって、同一のタイミングで多数の発光体の点灯制御が開始されることがある。この場合、短期間で大量の駆動電流が突入電流となって流れることで、雑音電波などによる電波障害が発生するおそれがある。また、大量の駆動電流を生成するための電源回路が必要となることに伴い、製造コストが増加する場合もある。これに対して、シリアルデータＳＤとなる制御信号を、複数のシリアル出力系統Ｋ０１〜Ｋ２１のそれぞれに応じて異なるタイミングで出力することにより、突入電流の発生を抑制して、雑音電波の発生や製造コストの増加を防止することができる。
【０２２０】
発光体駆動部１４４において、各発光体ドライバは、受信したシリアルデータＳＤに含まれるアドレス情報で示される発光体ドライバアドレスと、自分に割り当てられた発光体ドライバアドレスとが合致するか否かを確認する。このとき、合致していれば駆動制御データや階調データとなるシリアルデータＳＤを取り込んで、パラレルデータに変換し、これに基づく発光体の点灯制御を行う。例えばストローブ側の発光体ドライバは、駆動制御データに基づくストローブ信号を出力することで、ストローブ信号線に接続された複数の発光体を駆動制御する。また、デジット上側またはデジット下側の発光体ドライバは、階調データに基づくデジット信号を出力することで、デジット信号線に接続された複数の発光体を階調制御する。こうして、複数の発光体ブロックＢ０１〜Ｂ４２ごとに、複数の発光体のダイナミック点灯制御を行い、演出可動機構５０を構成する可動部材５１〜５４が備える発光体ユニット７１〜７４のそれぞれにて、整列配置された複数の発光体の点灯態様による表示演出が行われる。
【０２２１】
演出可動機構５０による具体的な表示演出の一例として、上側機構５０Ｔと下側機構５０Ｂとが離間してメイン画像表示装置５ＭＡの表示画面が視認可能な退避状態（第１状態）では、遊技者が視認可能な可動部材５１〜５４に配置された複数の発光体を用いた表示演出を、メイン画像表示装置５ＭＡによる表示演出に連動させて実行する。退避状態のときには、可動部材５１、５２が上方に位置するとともに下側機構５０Ｂの可動部材５３、５４が下方に位置している。このように可動部材５１〜５４が回動動作していない退避状態のとき（停止しているとき）には、複数の発光体のうちで、パチンコ遊技機１の前方から視認可能な発光体のみを点灯制御する。これにより、電力消費を低減することができる。こうした発光体の点灯制御による表示演出としては、例えば文字やシンボルを表示させたり、複数の発光体における点滅や発光色を所定順序で移動させて、メイン画像表示装置５ＭＡによる可変表示に合わせた可変表示演出などが実行されてもよい。また、リーチ演出が実行されるときには、可動部材５１〜５４の少なくとも１つを可動（振動、進出など）させたり、複数の発光体を用いて「リーチ」などの文字やシンボルを表示してもよい。
【０２２２】
一方、上側機構５０Ｔと下側機構５０Ｂとが近接してメイン画像表示装置５ＭＡの表示画面が視認困難または視認不可能な進出状態（第２状態）では、可動部材５１〜５４に配置された複数の発光体をすべて用いた表示演出を、メイン画像表示装置５ＭＡによる表示演出に連動させて、あるいはメイン画像表示装置５ＭＡによる表示演出とは別個独立に、実行する。進出状態のときには、上側機構５０Ｔにおける装飾部材５７の下方への移動に伴って可動部材５１、５２が回動するとともに下側機構５０Ｂの可動部材５３、５４が上方に位置している。このように可動部材５１〜５４が回動動作している進出状態のとき（動作しているとき）には、複数の発光体をすべて点灯制御する。
【０２２３】
図２５は、演出可動機構５０による「７」の数字を象った表示演出の実行例を示している。このように、上側機構５０Ｔと下側機構５０Ｂとが近接した進出状態（第２状態）のときには、可動部材５１〜５４のそれぞれで複数の発光体の配列方向が同一方向に一致する。したがって、可動部材５１〜５４で一体の表示演出を実行するときに、表示形式の円滑性を高めて表示演出を実行することができる。可動部材５１〜５４における一体の表示演出としては、可動部材５１〜５４にて複数の発光体が整列配置された領域をすべて用いて、例えば文字、図形、記号などのシンボル、キャラクタやそのシルエットなどの表示をすることができる。
【０２２４】
可動部材５１〜５４における一体の表示演出は、上側機構５０Ｔと下側機構５０Ｂとが退避状態から進出状態へと変化する前または変化している最中に、開始されてもよい。このように、可動部材５１〜５４が回動しているときには、パチンコ遊技機１の前方から視認可能か否かにかかわらず、複数の発光体をすべて点灯させて表示演出を実行すればよい。これにより、可動部材５１〜５４の回動動作の演出効果を大きくすることができる。また、パチンコ遊技機１の前方から視認可能か否かにかかわらず複数の発光体をすべて点灯させることで、簡易な制御によって、点灯制御を行っていない発光体が遊技者に視認されてしまうのを抑制できる。
【０２２５】
このように、発光体制御回路１３４は、ＶＤＰ１３０により作成された表示データの一部を用いて、発光体ユニット７１〜７４のそれぞれにて整列配置された複数の発光体を点灯制御する点灯データを生成し、発光体ブロックＢ０１〜Ｂ４２ごとにダイナミック点灯制御を行う。したがって、ＶＤＰ１３０は、メイン画像表示装置５ＭＡやサブ画像表示装置５ＳＵの画面上における演出画像の表示データと同様に、汎用の表示データを作成して出力することで、演出可動機構５０による表示演出の実行内容を設定できるので、回路構成が複雑化することを抑制しつつ、多様な演出の実行による興趣を向上させることができる。
【０２２６】
この発明は、上記実施の形態に限定されず、様々な変形および応用が可能である。例えばパチンコ遊技機１は、上記実施の形態で示された全ての技術的特徴を備えるものでなくてもよく、従来技術における少なくとも１つの課題を解決できるように、上記実施の形態で説明した一部の構成を備えたものであってもよい。
【０２２７】
具体的な一例として、上記実施の形態では、演出可動機構５０が備える複数の可動部材５１〜５４に設けられた発光体ユニット７１〜７４のそれぞれに、複数の発光体が整列配置されるものとして説明した。しかしながら、この発明はこれに限定されず、１つの可動部材に設けられた発光体ユニットに複数の発光体が整列配置されたものであってもよいし、固定された表示手段としての発光体ユニットに複数の発光体が整列配置されたものであってもよい。
【０２２８】
上記実施の形態では、複数の発光体ブロックＢ０１〜Ｂ４２のそれぞれが、各発光体ブロックよりも小さいモジュールとなるハーフブロックの組合せで構成されるものとして説明した。しかしながら、この発明はこれに限定されず、複数の発光体ブロックのうちには、複数のハーフブロックの組合せで構成されるものと、ハーフブロックに分割されず全体で１つの発光体ブロックを構成するものとが含まれていてもよい。一例として、横方向（Ｘ軸方向）に１２個（１２列）の発光体が並ぶとともに、縦方向（Ｙ軸方向）に１６個（１６行）の発光体が並んだ領域については、ハーフブロックに分割することなく、全体が１つの発光体ブロックに割り当てられるように設定してもよい。このように、複数の発光体が整列配置された広い領域については、ハーフブロックに分割することなく一括して多数の発光体を点灯制御する。これにより、回路構成を簡単化して製造コストを低減したり、点灯制御に伴う処理負担を軽減したりすることができる。
【０２２９】
上記実施の形態では、図２３（ａ）に示すような設定により、発光体ブロックに応じて異なる点灯データ生成テーブルが選択される。この場合、同一の発光体ブロックに対応する発光体については、共通の点灯データ生成テーブルを用いて、表示データから点灯データへの変換が行われる。しかしながら、この発明はこれに限定されず、同一の発光体ブロックに対応する発光体であっても、その配置などに応じて異なる点灯データ生成テーブルが選択されるようにしてもよい。具体的な一例として、バッファメモリ１４１から表示データが読み出された記憶アドレスに応じて、異なる点灯データ生成テーブルが選択されるようにしてもよい。このように、より詳細な発光体の配置などに応じて、表示データから点灯データに変換するための設定情報を異ならせてもよい。
【０２３０】
点灯データ生成回路１４２は、点灯データ生成テーブルに代えて、所定の演算処理によって表示データから点灯データへの変換を行うようにしてもよい。表示データから点灯データへの変換に使用可能な複数種類の演算処理プログラムを予め用意しておき、点灯データ生成回路１４２は、発光体の発光色や配置（発光体ブロックなど）に応じていずれかの演算処理プログラムを選択して実行することで、表示データを点灯データに変換してもよい。
【０２３１】
本発明は、パチンコ遊技機１に限らずスロットマシンなどにも適用できる。スロットマシンは、例えば複数種類の識別情報となる図柄の可変表示といった所定の遊技を行い、その遊技結果に基づいて所定の遊技価値を付与可能となる任意の遊技機であり、より具体的に、１ゲームに対して所定の賭数（メダル枚数またはクレジット数）を設定することによりゲームが開始可能になるとともに、各々が識別可能な複数種類の識別情報（図柄）を可変表示する可変表示装置（例えば複数のリールなど）の表示結果が導出表示されることにより１ゲームが終了し、その表示結果に応じて入賞（例えばチェリー入賞、スイカ入賞、ベル入賞、リプレイ入賞、ＢＢ入賞、ＲＢ入賞など）が発生可能とされた遊技機である。このようなスロットマシンにおいて、スロットマシンの前面側に設けられた演出可動機構を含めたハードウェア資源と、所定の処理を行うソフトウェアとが協働することにより、上記実施の形態で示されたパチンコ遊技機１が有する特徴の全部または一部を備えるように構成されていればよい。具体的には、複数の発光体が整列配置された領域を複数の発光体ブロックに分割し、発光体ブロックごとに生成した点灯データを用いた点灯制御が行われるように構成されていればよい。
【０２３２】
その他にも、遊技機の装置構成やデータ構成、フローチャートで示した処理、画像表示装置における画像表示動作やスピーカにおける音声出力動作さらには発光体ユニットや遊技効果ランプおよび装飾用ＬＥＤにおける点灯動作を含めた各種の演出動作などは、本発明の趣旨を逸脱しない範囲で、任意に変更および修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。スロットマシンは、遊技用価値としてメダル並びにクレジットを用いて賭数が設定されるものに限定されず、遊技用価値として遊技球を用いて賭数を設定するスロットマシンや、遊技用価値としてクレジットのみを使用して賭数を設定する完全クレジット式のスロットマシンであってもよい。遊技球を遊技媒体として用いる場合は、例えば、メダル１枚分を遊技球５個分に対応させることができ、例えば賭数として３を設定する場合は、１５個の遊技球を用いて賭数を設定するものに相当する。パチンコ遊技機１やスロットマシンは、メダルおよび遊技球等の複数種類の遊技用価値のうちのいずれか一種類のみを用いるものに限定されるものではなく、例えばメダルおよび遊技球等の複数種類の遊技用価値を併用できるものであってもよい。例えばスロットマシンは、メダルおよび遊技球等の複数種類の遊技用価値のいずれを用いても賭数を設定してゲームを行うことが可能であり、かつ入賞の発生によってメダルおよび遊技球等の複数種類の遊技用価値のいずれをも払い出し得るものであってもよい。
【０２３３】
本発明を実現するためのプログラムおよびデータは、例えばパチンコ遊技機１やスロットマシンといった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラムおよびデータは、通信処理部を設けておくことにより、通信回線等を介して接続されたネットワーク上の、他の機器からダウンロードすることによって配布する形態を採っても構わない。
【０２３４】
そして、ゲームの実行形態も、着脱自在の記録媒体を装着することにより実行するものだけではなく、通信回線等を介してダウンロードしたプログラムおよびデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０２３５】
以上説明したように、上記実施の形態では、演出可動機構５０を構成する複数の可動部材５１〜５４に設けられた複数の発光体ユニット７１〜７４にて複数の発光体が整列配置された領域を、複数の発光体ブロックＢ０１〜Ｂ４２に分割する。複数の発光体を点灯制御するために用いられる点灯データは、複数の発光体ブロックＢ０１〜Ｂ４２ごとに作成される。発光体駆動部１４４に含まれる複数の発光体ドライバは、点灯データに対応する制御信号に基づいて、各発光体ブロックＢ０１〜Ｂ４２に対応する複数の発光体を点灯制御する。このように、点灯データを複数の発光体ブロックごとに作成して複数の発光体を点灯制御することで、例えば点灯制御の並列実行などにより処理負荷を分散して、点灯制御の処理負担を軽減させることができる。
【０２３６】
各発光体ブロックＢ０１〜Ｂ４２は、例えば図１２に示したハーフブロックＢ１１ＵおよびハーフブロックＢ１１Ｄのように、その発光体ブロックよりも小さいモジュールとなるハーフブロックの組合せで構成される。このように、発光体ブロックをより小さいモジュールの組合せで構成することで、発光体ブロックの割当てを柔軟に行うことができ、これに伴い複数の発光体を配置する柔軟性を高めることができる。
【０２３７】
ハーフブロックＢ１１ＵおよびハーフブロックＢ１１Ｄのようなハーフブロックは、例えば合計９６個の発光体といった、いずれも同数の発光体を含むように構成される。これにより、点灯データのような発光体の点灯制御を行うための制御情報を、複数の発光体ブロックに対して統一したフォーマットで作成可能として、点灯制御の処理負担を軽減させることができる。
【０２３８】
１の発光体ブロックに満たない発光体が配置された余り領域は、いずれかの発光体ブロックにおける空き領域に含めるように発光体ブロックの割当てが行われ、例えば図２０（ｂ）に示すように、余り領域の割当てに対応した表示データの一部移動などを行う。これにより、点灯データのような発光体の点灯制御を行うための制御情報を効率よく作成可能として、点灯制御の処理負担を軽減させることができる。
【０２３９】
演出可動機構５０は複数の可動部材５１〜５４を備えており、各可動部材５１〜５４にて発光体ユニット７１〜７４を構成する複数の発光体が配置された領域を、複数の発光体ブロックＢ０１〜Ｂ４２に分割する。このように、複数の可動部材にて複数の発光体が配置された領域を複数の発光体ブロックに分割し、点灯データを複数のブロックごとに作成して複数の発光体を点灯制御することで、複数の可動部材を用いた演出の興趣を向上させるとともに、点灯制御の処理負担を軽減させることができる。
【０２４０】
シリアル出力回路１４３は、複数のシリアル出力系統Ｋ０１〜Ｋ２１を有し、それぞれに対応するシリアル信号配線にシリアル信号方式で制御信号を出力する。各発光体ブロックＢ０１〜Ｂ４２に対応して設けられた発光体ドライバは、１のシリアル出力系統に対応するシリアル信号配線を介して接続されている。これにより、各シリアル出力系統に割り当てられた発光体ブロックごとに複数の発光体を点灯制御することで、例えば点灯制御の並列実行などにより処理負荷を分散して、点灯制御の処理負担を軽減させることができる。
【０２４１】
発光体ブロックＢ０１〜Ｂ４２のそれぞれでは、例えば図１２に示す発光体ドライバ４１１Ｓのようなストローブ側の発光体ドライバと、例えば図１２に示す発光体ドライバ４１１ＤＵ、４１１ＤＤのようなデジット側の発光体ドライバとを用いて、発光体ブロックごとに複数の発光体のダイナミック点灯制御が行われる。こうした１の発光体ブロックに含まれる発光体の駆動制御を行うストローブ側の発光体ドライバと発光体の階調制御を行うデジット側の発光体ドライバのそれぞれに対して、少なくとも１の発光体ドライバアドレスを指定するアドレス情報が割り当てられている。これにより、発光体の駆動制御や階調制御を適切に実現することができる。
【０２４２】
例えば図２２に示すようなアドレス特定テーブルＴＡ１の設定などにより、ストローブ側の発光体ドライバに対しては、複数の発光体ブロックＢ０１〜Ｂ４２にかかわらず、各発光体ブロックに対応して同数（例えば「１」）の発光体ドライバアドレスを指定するアドレス情報が割り当てられている。また、デジット側の発光体ドライバに対しては、複数の発光体ブロックＢ０１〜Ｂ４２に応じた所定数（例えば「１」または「２」）の発光体ドライバアドレスを指定するアドレス情報が割り当てられている。これにより、各発光体ブロックに含まれる複数の発光体の配置に応じて、例えばデジット側の発光体ドライバを増減可能に構成することで、柔軟に制御信号を出力させることができる。
【０２４３】
シリアル出力回路１４３は、シリアルクロックＳＣとして、例えば図２４（ａ）に示すように、シリアル出力系統Ｋ０１〜Ｋ２１のそれぞれに共通のクロック信号を出力する。したがって、複数のシリアル出力系統Ｋ０１〜Ｋ２１を設けた場合でも、個別のクロック生成回路やクロック遅延回路などを設ける必要がなく、回路構成を簡素化して、製造コストの増加を防止することができる。
【０２４４】
シリアル出力回路１４３は、シリアルデータＳＤとして、例えば図２４（ｂ）に示すように、シリアル出力系統Ｋ０１〜Ｋ２１のそれぞれに応じて異なるタイミングで、駆動制御データや階調データを含んだ制御信号を出力する。これにより、突入電流の発生を抑制して、雑音電波の発生や製造コストの増加を防止することができる。
【０２４５】
バッファメモリ１４１にはＶＤＰ１３０からサブ表示出力系統に対応して出力された表示データが一時記憶される。点灯データ生成回路１４２は、バッファメモリ１４１に一時記憶されている表示データを読み出し、所定の変換処理を実行することで、点灯制御情報を構成する点灯データを生成する。このように、表示データを点灯データに変換するので、ＬＣＤ（液晶表示装置）などの一般的な表示装置の画面上に表示させる演出画像の画像データと同様の画像データを作成して、複数の発光体の点灯制御に用いることができ、遊技機の開発負担や点灯制御の処理負担を軽減させることができる。
【０２４６】
バッファメモリ１４１の記憶領域に複数のバッファ領域を割り当て、１のバッファ領域に信号分離回路１４０によって分離された表示データを一時記憶させているときに、他のバッファ領域から読み出した表示データを点灯データに変換してもよい。このようなダブルバッファ方式で表示データを一時記憶して、点灯データへの変換を適切に行うことができる。
【０２４７】
点灯データ生成回路１４２は、画像表示装置のフレーム周期よりも、短い周期で服すの発光体を点灯制御するための点灯データを生成し、シリアル出力回路１４３により点灯データに基づく制御信号を出力させる。これにより、表示演出におけるちらつきを抑制して、演出の興趣を向上させることができる。
【０２４８】
点灯データ生成回路１４２は、例えば図２１に示すようなバッファメモリ１４１の記憶領域を分割した複数のバッファメモリエリアのうち、いずれのバッファメモリエリアに格納されているデータを読み出したかに基づいて、図２２に示すようなアドレス特定テーブルＴＡを参照することにより、複数の発光体ブロックＢ０１〜Ｂ４２のうち、いずれの発光体ブロックに含まれる発光体の点灯データに変換するかを特定する。こうしたアドレス特定テーブルＴＡを用いて点灯データに変換することで、データ処理が複雑化することを防止して、点灯制御の処理負担を軽減させることができる。
【０２４９】
信号分離回路１４０は、ＶＤＰ１３０からサブ表示出力系統に対応して出力された表示データの一部を分離してバッファメモリ１４１に一時記憶させる。点灯データ生成回路１４２は、バッファメモリ１４１に一時記憶された表示データを点灯データに変換して、複数の発光体の点灯制御に用いることができ、遊技機の開発負担や点灯制御の処理負担を軽減させることができる。
【０２５０】
ＶＤＰ１３０により作成される表示データのうち、フレームバッファ１３２Ｂの記憶領域に割り当てられたサブフレームバッファに格納される表示データにおいて、図２０（ｃ）に示すようなサブ画像表示用のデータと発光体制御用のデータとの間には、例えば５ドットといった、所定のデータ量を有する境界データが設けられている。こうした境界データによって用途が異なるデータを離間することで、点灯データに変換される表示データを容易に分離可能として、点灯制御の処理負担を軽減させることができる。
【０２５１】
ＶＤＰ１３０は、点灯データの作成に用いられる画像データとして、複数の発光体による表示の解像度よりも高い解像度を有する画像データを用いて、発光体制御用の表示データを作成する。これにより、例えば演出画像を移動表示させるときなどに、輪郭表示の円滑性といった表示の円滑性を高めて、演出の興趣を向上させることができる。
【０２５２】
発光体ユニット７１〜７４を構成するように整列配置された複数の発光体は、それぞれが互いに異なる発光色を有する複数種類の発光素子を含んだフルカラーＬＥＤを用いて構成される。点灯データ生成回路１４２は、例えば図２３（ａ）に示すような点灯データ生成テーブルの選択設定に基づいて、発光素子の発光色ごとに異なる点灯データ生成テーブルを選択する。そして、バッファメモリ１４１から読み出した表示データに示される各表示色のレベルに基づいて、選択された点灯データ生成テーブルを参照することにより、点灯データで指定される階調制御量を決定する。これにより、各発光色に対応する発光素子の特性などを考慮して、複数の発光体を用いた表示演出における色の再現性を高めることで、演出の興趣を向上させることができる。
【０２５３】
点灯データ生成回路１４２によって生成される点灯データは、例えば図２３（ｂ）に示すように、変換に用いた表示データに基づいて表示される画像の階調数よりも少ない階調数に対応している。これにより、ＬＣＤ（液晶表示装置）などの一般的な表示装置の画面上に表示させる演出画像の画像データと同様の画像データを作成して、複数の発光体の点灯制御に用いることができ、遊技機の開発負担や点灯制御の処理負担を軽減させることができる。
【０２５４】
また、例えば図２３（ａ）に示すように、発光体ブロックＢ０１〜Ｂ４２のいずれであるかに応じて、異なる点灯データ生成テーブルが選択されることがある。このように、各発光体ブロックに対応する複数の発光体の配置に応じて異なる点灯データ生成テーブルを用いた点灯データへの変換により、複数の発光体の配置によらず同一の表示色に対応して均一に近い印象を与えることで、複数の発光体を用いた表示演出における色の再現性を高めて演出の興趣を向上させることができる。
【符号の説明】
【０２５５】
１  …  パチンコ遊技機
２  …  遊技盤
３  …  遊技機用枠
４Ａ、４Ｂ  …  特別図柄表示装置
５ＭＡ  …  メイン画像表示装置
５ＳＵ  …  サブ画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
１６  …  可動機構制御基板
２０  …  普通図柄表示器
２１  …  ゲートスイッチ
２２Ａ、２２Ｂ  …  始動口スイッチ
２３  …  カウントスイッチ
５０  …  演出可動機構
５１〜５４  …  可動部材
７１〜７４  …  発光体ユニット
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
１３０  …  ＶＤＰ
１３１  …  画像データメモリ
１３２Ａ  …  ＶＲＡＭ
１３２Ｂ  …  フレームバッファ
１３３Ａ  …  メインＬＣＤ駆動回路
１３３Ｂ  …  サブＬＣＤ駆動回路
１３４  …  発光体制御回路
１４０  …  信号分離回路
１４１  …  バッファメモリ
１４２  …  点灯データ生成回路
１４３  …  シリアル出力回路
１４４  …  発光体駆動部
Ｂ０１〜Ｂ４２  …  発光体ブロック
Ｋ０１〜Ｋ２１  …  シリアル出力系統
【図１】
2014210033.tif 000003
【図２】
2014210033.tif 000004
【図３】
2014210033.tif 000005
【図６】
2014210033.tif 000006
【図７】
2014210033.tif 000007
【図８】
2014210033.tif 000008
【図９】
2014210033.tif 000009
【図１１】
2014210033.tif 000010
【図１２】
2014210033.tif 000011
【図１３】
2014210033.tif 000012
【図１４】
2014210033.tif 000013
【図１５】
2014210033.tif 000014
【図１６】
2014210033.tif 000015
【図１７】
2014210033.tif 000016
【図１８】
2014210033.tif 000017
【図１９】
2014210033.tif 000018
【図２０】
2014210033.tif 000019
【図２１】
2014210033.tif 000020
【図２２】
2014210033.tif 000021
【図２３】
2014210033.tif 000022
【図２４】
2014210033.tif 000023
【図４】
2014210033.tif 000024
【図５】
2014210033.tif 000025
【図１０】
2014210033.tif 000026
【図２５】
2014210033.tif 000027